(57)【要約】  本開示の態様は、タップハンドルシステムと、飲料ディスペンサのためのタップハンドルと、タップハンドルを形成するためのブランクと、使用の方法と、タップハンドルを直立させる方法とに関する。飲料ディスペンサのためのタップハンドルは、シート材料の複数の層から形成される芯材を備え、層の各々は、少なくとも１つの他の層に面接触の関係で配置される。
2020522446.tif 000002
【特許請求の範囲】
【請求項１】
シート材料の複数の層から形成される芯材を備える飲料ディスペンサのためのタップハンドルであって、前記層の各々は、少なくとも１つの隣接する層に面接触の関係で固定される、タップハンドル。
【請求項２】
シート材料の前記複数の層のうちの２つ以上が切り落とし部を備え、前記切り落とし部の各々は互いと合致して配置され、前記切り落とし部は各々、タップ組立体の一部分を受け入れるための受部の相対する側壁を一部において定める、請求項１に記載のタップハンドル。
【請求項３】
前記タップ組立体の前記一部分を受け入れるための前記受部の中に連結装置が設けられる、請求項２に記載のタップハンドル。
【請求項４】
前記受部は、前記タップハンドルを前記タップ組立体に対して位置合わせするためのキー溝を備える、請求項２に記載のタップハンドル。
【請求項５】
前記受部はキー溝を備え、前記連結装置は、前記タップハンドルに対する前記連結装置の回転を抑制するように前記キー溝と嵌合するキーを備える、請求項３に記載のタップハンドル。
【請求項６】
シート材料の前記複数の層の各々１つがシート材料の前記複数の層のうちの別の１つにヒンジ留めで連結される、請求項１に記載のタップハンドル。
【請求項７】
シート材料の前記複数の層は直線的な連続体として互いにヒンジ留めで連結される、請求項６に記載のタップハンドル。
【請求項８】
シート材料の複数の層から形成される芯材と、外部スリーブとを備える、飲料ディスペンサのためのタップハンドル。
【請求項９】
折り畳まれたシート材料から形成される芯材と、外部スリーブとを備える、飲料ディスペンサのためのタップハンドル。
【請求項１０】
芯材と、前記芯材の周りに備え付けられる外部スリーブとを備える、飲料ディスペンサのためのタップハンドルであって、前記外部スリーブは、情報表示領域を提供するための１つまたは複数の表面と、前記タップハンドルをタップ組立体に結合するための連結装置とを有する、タップハンドル。
【請求項１１】
前記芯材は、前記タップ組立体の弁を操作するためのレバーを提供する、請求項１０に記載のタップハンドル。
【請求項１２】
前記タップ組立体はビール用タップである、請求項１０に記載のタップハンドル。
【請求項１３】
タップハンドルに取り外し可能に備え付け可能であるスリーブであって、管状構造を形成する複数のパネルを備え、複数のパネルの少なくとも１つが情報表示領域を提供する、スリーブ。
【請求項１４】
前記管状構造は、前記タップハンドルを受け入れるために一端に開口を備える、請求項１３に記載のスリーブ。
【請求項１５】
前記管状構造の第１の端を少なくとも部分的に閉じるために少なくとも１つの端閉鎖パネルを備える、請求項１３に記載のスリーブ。
【請求項１６】
前記管状構造は、前記タップハンドルの少なくとも一部分を受け入れるために第２の端において開放する、請求項１３に記載のスリーブ。
【請求項１７】
分注される飲料の識別に固有である情報を提供するように、前記スリーブを飲料ディスペンサのタップハンドルに取り外し可能に備え付けることを含む、請求項１３に記載のスリーブの使用。
【請求項１８】
タップハンドルをタップ組立体に備え付ける方法であって、
積層芯材を形成するために複数のパネルを対向する関係で積み重ねるステップと、
前記複数のパネルを互いに対して位置合わせするステップと、
前記積層芯材を一体的に固定するステップと、
前記積層芯材によって定められる受部の中にタップステムを受け入れるステップと
を含む方法。
【請求項１９】
前記複数のパネルを積み重ねる前記ステップは、ヒンジ留めで一体的に連結された複数のパネルを備えるブランクを折り畳むことを含む、請求項１８に記載の方法。
【請求項２０】
前記積層芯材を固定する前記ステップは、前記積層芯材の一部分の周りにストラップを折り畳むことを含む、請求項１８に記載の方法。
【請求項２１】
前記積層芯材を固定する前記ステップは、前記ストラップを前記複数のパネルのうちの少なくとも１つに接着することを含む、請求項２０に記載の方法。
【請求項２２】
管状構造を形成するためにスリーブを直立させるステップと、
前記スリーブを前記積層芯材に備え付けるステップと
を含む、請求項１８に記載の方法。
【請求項２３】
多層構造を形成するための複数のパネルを備えるタップハンドルを形成するためのブランクであって、前記複数のパネルのうちの少なくとも１つは、前記複数のパネルを互いと対向する関係で固定するために、前記少なくとも１つのパネルにヒンジ留めで連結される固定ストラップを備える、ブランク。
【請求項２４】
前記複数のパネルのうちの少なくとも１つは、前記固定ストラップの少なくとも一部を受け入れるための凹部を定める切り落とし部を備える、請求項２３に記載のブランク。
【請求項２５】
多層構造を形成するための複数のパネルを備えるタップハンドルを形成するためのブランクであって、前記複数のパネルのうちの１つまたは複数は、タップ組立体の構成要素を受け入れるための受部を形成するために切り落とし部を備える、ブランク。
【請求項２６】
前記複数のパネルのうちの２つ以上が切り落とし部を各々備え、前記ブランクが前記タップ組立体の構成要素を受け入れるための前記受部を形成するように組み立てられた状態にあるとき、前記切り落とし部は互いと合致するように構成される、請求項２５に記載のブランク。
【請求項２７】
前記複数のパネルは、直線的な連続体として１つのものが隣のものにヒンジ留めされる、請求項２５に記載のブランク。
【請求項２８】
前記切り落とし部の各々は、前記複数のパネルのうちの２つ以上のそれぞれ１つに凹部を形成するように、前記複数のパネルのうちの前記２つ以上のものの端縁に定められ、組み立て状態において、各々の凹部は前記受部の相対する側壁の対を一部において定める、請求項２５に記載のブランク。
【請求項２９】
前記ブランクは、前記受部の相対する側壁を定めるための第１の外側パネルおよび第２の外側パネルを備える、請求項２５に記載のブランク。
【請求項３０】
タップハンドルスリーブを形成するブランクであって、
管状構造の壁を形成するための複数のパネルと、
前記管状構造の一端を閉じるための少なくとも１つの端閉鎖パネルと
を備えるブランク。
【請求項３１】
管状構造を形成する複数のパネルを備え、複数のパネルの少なくとも１つが情報表示領域を提供する、タップハンドルスリーブ。
【請求項３２】
飲料ディスペンサのためのハンドルシステムであって、
シート材料の複数の層から形成される支持部材であって、前記層の各々は、少なくとも１つの隣接する層に面接触の関係で固定され、前記支持部材は受部を定める、支持部材と、
前記支持部材を受け入れるための管状構造を形成する複数の壁を備え、複数の壁の少なくとも１つが情報表示領域を提供する、外部スリーブと、
前記受部内に備え付け可能であり、前記ハンドルシステムを飲料ディスペンサのタップステムに結合するための取付デバイスを備える連結装置と
を備えるハンドルシステム。
【請求項３３】
管状構造を形成する複数のパネルから形成されるフレームを備える飲料ディスペンサのためのタップハンドルであって、前記フレームは、前記フレームをタップステムに結合するための受部を形成する第１の切り落とし部を有する少なくとも１つの支柱パネルを備える、タップハンドル。
【請求項３４】
前記少なくとも１つの支柱パネルは、それにヒンジ留めで連結される支柱補強パネルを備え、前記支柱補強パネルは、前記第１の切り落とし部と合致して配置され、前記フレームを前記タップステムに結合するために前記受部の一部を形成する第２の切り落とし部を備える、請求項３３に記載のタップハンドル。
【請求項３５】
タップハンドルのフレームを形成するためのブランクであって、前記ブランクは、管状構造を形成するために複数のフレームパネルを備え、前記複数のフレームパネルは直線的な連続体として互いにヒンジ留めで連結され、前記ブランクは、前記複数のフレームパネルのうちの１つにヒンジ留めで連結される少なくとも１つの支柱パネルを備え、前記少なくとも１つの支柱パネルは、前記フレームをタップステムに結合するための受部を形成するために第１の切り落とし部を有する、ブランク。
【請求項３６】
前記ブランクは、前記少なくとも１つの支柱パネルにヒンジ留めで連結される支柱補強パネルを備え、前記支柱補強パネルは、組み立て状態において前記第１の切り落とし部と合致するように構成されて配置される第２の切り落とし部を備える、請求項３５に記載のブランク。
【請求項３７】
前記第１の切り落とし部および前記第２の切り落とし部は、一部において前記少なくとも１つの支柱パネルから、および、一部において前記支柱補強パネルから打ち出される開口を形成するように形成される、請求項３６に記載のブランク。
【請求項３８】
前記連結装置は、前記受部の内側面において係留部が動けなくなるように前記連結装置の残りの部分より横方向の寸法が大きい係留部を備える、請求項３に記載のタップハンドル。
【請求項３９】
前記連結装置は、前記係留部に連結される連結部材をさらに備え、前記係留部は前記連結装置より横方向の寸法が大きく、前記連結部材は前記タップ組立体の前記一部分に連結可能である、請求項３８に記載のタップハンドル。
【請求項４０】
シート材料の複数の層から形成される芯材を備える飲料ディスペンサのためのタップハンドルであって、前記層の各々は、少なくとも１つの他の層に面接触の関係で配置される、タップハンドル。
【請求項４１】
シート材料の前記複数の層は、連結装置を受け入れるための受部を少なくとも一部において定める、請求項４０に記載のタップハンドル。
【請求項４２】
シート材料の前記複数の層のうちの少なくとも１つに設けられる少なくとも１つの切り落とし部を備え、前記少なくとも１つの切り落とし部は、連結装置を受け入れるための前記受部の少なくとも一部分を定める、請求項４１に記載のタップハンドル。
【請求項４３】
前記連結装置は、タップ組立体の一部分を受け入れるための開口部を備える、請求項４１に記載のタップハンドル。
【請求項４４】
前記連結装置は、前記連結装置の残りの部分より横方向の寸法が大きい係留部を、前記連結装置と前記芯材との間の相対移動を抑制するために前記係留部が前記少なくとも１つの切り落とし部に受け入れられるように備える、請求項４１に記載のタップハンドル。
【請求項４５】
前記少なくとも１つの切り落とし部は、シート材料の前記複数の層のうちの少なくとも１つに定められる開口を備える、請求項４２に記載のタップハンドル。
【請求項４６】
前記少なくとも１つの切り落とし部は、シート材料の前記複数の層のうちの少なくとも１つに定められる凹部を備える、請求項４２に記載のタップハンドル。
【請求項４７】
前記少なくとも１つの切り落とし部は、シート材料の前記複数の層のうちの少なくとも１つに定められる少なくとも１つの切れ目を備える、請求項４２に記載のタップハンドル。
【請求項４８】
前記少なくとも１つの切れ目は、シート材料の前記複数の層のうちの前記少なくとも１つに折り畳み可能に結合される１つまたは複数の変位可能なタブを定める、請求項４７に記載のタップハンドル。
【請求項４９】
前記受部の中に位置付けられる連結装置を備え、シート材料の前記複数の層のうちの少なくとも１つの表面が、前記芯材に対する前記連結装置の回転を抑制するように前記連結装置の表面と面接触の関係で配置される、請求項４１に記載のタップハンドル。
【請求項５０】
前記連結装置は、シート材料の前記複数の層のうちの前記少なくとも１つに固定される、請求項４９に記載のタップハンドル。
【請求項５１】
シート材料の前記複数の層は、螺旋構造を形成するために折り畳まれる、請求項４０に記載のタップハンドル。
【請求項５２】
シート材料の前記複数の層は前記連結装置の周りに巻かれる、請求項４９に記載のタップハンドル。
【請求項５３】
シート材料の前記複数の層は、複数の壁を有する管状構造を形成し、少なくとも１つの壁はシート材料の少なくとも２つの層を備える、請求項５２に記載のタップハンドル。
【請求項５４】
前記連結装置は６つの外面を備え、シート材料の前記複数の層は前記外面のうちの３つと面接触の関係で配置される、請求項４９に記載のタップハンドル。
【請求項５５】
前記連結装置は複数の外面を備え、シート材料の前記複数の層は前記複数の外面のうちの交互の外面と面接触の関係で配置される、請求項４９に記載のタップハンドル。
【請求項５６】
前記連結装置は、前記芯材に対する前記連結装置の回転を抑制するために少なくとも１つの回り止めを備える、請求項４９に記載のタップハンドル。
【請求項５７】
前記少なくとも１つの回り止めは、前記連結装置から延びる突起を備える、請求項４９に記載のタップハンドル。
【請求項５８】
前記少なくとも１つの回り止めは、前記連結装置に設けられる切欠きを備える、請求項４９に記載のタップハンドル。
【請求項５９】
前記係留部は、非円形形状を有する頭部を備える、請求項４４に記載のタップハンドル。
【請求項６０】
タップハンドルをタップ組立体に備え付ける方法であって、
多層の管状構造を形成するために複数のパネルを連結装置の周りに巻くステップと、
前記管状構造を一体的に固定するステップと、
タップステムを前記連結装置の中に受け入れるステップと
を含む方法。
【請求項６１】
前記複数のパネルを積み重ねる前記ステップは、ヒンジ留めで一体的に連結された複数のパネルを備えるブランクを折り畳むことを含む、請求項６０に記載の方法。
【請求項６２】
前記管状構造を固定する前記ステップは、前記複数のパネルのうちの第１のパネルを、前記複数のパネルのうちの別のパネルに接着することを含む、請求項６０に記載の方法。
【請求項６３】
管状構造を形成するためにスリーブを直立させるステップと、
前記スリーブを前記管状構造に備え付けるステップと
を含む、請求項６０に記載の方法。
【請求項６４】
飲料ディスペンサのためのハンドルシステムであって、
シート材料の複数の層から形成される支持部材であって、前記層の各々は、少なくとも１つの他の層と面接触の関係で配置され、前記支持部材は受部を定める、支持部材と、
前記支持部材を受け入れるための管状構造を形成する複数の壁を備え、複数の壁の少なくとも１つが情報表示領域を提供する、外部スリーブと、
前記受部内に備え付け可能であり、前記ハンドルシステムを飲料ディスペンサのタップステムに結合するための取付デバイスを備える連結装置と
を備えるハンドルシステム。
【発明の詳細な説明】
【技術分野】
【０００１】
本発明は、ハンドルと、ハンドルを形成するためのブランクとに関する。より詳細には、排他的ではないが、本発明は、飲料ディスペンサのためのタップハンドルに関する。
【背景技術】
【０００２】
バータップが良く知られており、飲料の放出を制御するために飲料ディスペンサと組み合わされて従来から使用されている。通常、飲料ディスペンサは１つまたは複数のタップステムを有し、タップステムには、装飾的なタップハンドルが取り付けられ得る。装飾的なタップハンドルは、特定の飲料が利用可能であることを消費者に知らせるとともに、その飲料を試すよう消費者の気を引くために、設計および使用される。
【０００３】
具体的には、非限定的な一例では、ビール醸造所は、その製品に銘柄を付け、そのビールを試すように新たな消費者を引き付け、および／または、従来の顧客に自社の特定の飲料のいずれが所与の施設において入手可能であるかを知らせるためのすべての形および大きさのタップハンドルを作り出す。実際、装飾的なビールタップハンドルは、地ビール醸造所や手作りの醸造所などの一部のより小規模の醸造所にとって、しばしば主要なマーケティング手段である。これらの醸造所は、ビジネスを生み出し、その顧客基盤を拡大するために、その装飾的なタップハンドルの人目を引く能力をしばしば頼りにする。
【０００４】
銘柄または情報の表示領域が設けられ得る低コストのタップハンドルを提供することが望まれている。タップハンドルが、例えば、限定されることはないが、屋外イベントやフェスティバルなど、販売の一時的な場所に容易に運べることも望まれている。
【発明の概要】
【発明が解決しようとする課題】
【０００５】
本発明は、先行技術の問題を克服または少なくとも軽減しようとするものである。
【課題を解決するための手段】
【０００６】
本開示の態様は、タップハンドルシステムと、飲料ディスペンサのためのタップハンドルと、タップハンドルを形成するためのブランクと、タップハンドルスリーブと、タップハンドルスリーブのためのブランクと、使用の方法と、タップハンドルを直立させる方法とに関する。
【０００７】
本開示の第１の態様によれば、シート材料の複数の層から形成される芯材を備える飲料ディスペンサのためのタップハンドルであって、層の各々は、少なくとも１つの隣接する層に面接触の関係で固定される、タップハンドルが提供される。
【０００８】
本発明は、例えば、限定されることはないが、屋外イベント、フェスティバル、展示会、コンサート、屋台といった、飲料の販売または分配の一時的な場所において有利に用いることができ、また本発明は、ジョッキーボックスまたは他の移動飲料クーラに用いられてもよい。
【０００９】
本発明は、容易に再生利用され得る低コストまたは使い捨てのタップハンドルを提供する。これは、特定の銘柄の付けられたタップハンドルの必要とされる使用が一時的または短い期間である場合、有利であり得る。
【００１０】
本発明は、特定の飲料ディスペンサから分注される飲料が頻繁または規則的に変わる販売または分配の場所（例えば、限定されることはないが、バー、レストラン、パブ、ナイトクラブなどの認可された施設）において有利に用いられ得る。
【００１１】
任意選択で、シート材料の層のうちの２つ以上が切り落とし部を備え、それら切り落とし部は互いと合致して配置され、切り落とし部は各々、タップ組立体の一部分を受け入れるための受部の相対する側壁を一部において定める。
【００１２】
任意選択で、タップ組立体の前記一部分を受け入れるための受部の中に連結装置が設けられる。
【００１３】
任意選択で、受部は、タップハンドルをタップ組立体に対して位置合わせするためのキー溝を備える。
【００１４】
任意選択で、受部はキー溝を備え、連結装置は、タップハンドルに対する連結装置の回転を抑制するようにキー溝と嵌合するキーを備える。
【００１５】
任意選択で、シート材料の複数の層の各々１つがシート材料の複数の層のうちの別の１つにヒンジ留めで連結される。
【００１６】
任意選択で、シート材料の複数の層は直線的な連続体として互いにヒンジ留めで連結される。
【００１７】
本開示の第２の態様によれば、シート材料の複数の層から形成される芯材と、外部スリーブとを備える、飲料ディスペンサのためのタップハンドルが提供される。
【００１８】
本開示の第３の態様によれば、折り畳まれたシート材料から形成される芯材と、外部スリーブとを備える、飲料ディスペンサのためのタップハンドルが提供される。
【００１９】
本開示の第４の態様によれば、芯材と、芯材の周りに備え付けられる外部スリーブとを備える、飲料ディスペンサのためのタップハンドルであって、外部スリーブは、情報表示領域を提供するための１つまたは複数の表面と、タップハンドルをタップ組立体に結合するための連結装置とを有する、タップハンドルが提供される。
【００２０】
任意選択で、芯材は、タップ組立体の弁を操作するためのレバーを提供する。
【００２１】
任意選択で、タップ組立体はビール用タップである。
【００２２】
本開示の第５の態様によれば、タップハンドルに取り外し可能に備え付け可能であるスリーブであって、管状構造を形成する複数のパネルを備え、複数のパネルの少なくとも１つが情報表示領域を提供する、スリーブが提供される。
【００２３】
任意選択で、管状構造は、タップハンドルを受け入れるために一端に開口を備える。
【００２４】
任意選択で、スリーブは、管状構造の第１の端を少なくとも部分的に閉じるために少なくとも１つの端閉鎖パネルを備える。
【００２５】
任意選択で、管状構造は、タップハンドルの少なくとも一部分を受け入れるために第２の端において開放する。
【００２６】
本開示の第６の態様は、スリーブの使用を提供し、スリーブは、管状構造を形成する複数のパネルを有し、複数のパネルのうちの少なくとも１つは情報表示領域を提供し、スリーブの使用は、情報を提供するように飲料ディスペンサのタップハンドルにスリーブを取り外し可能に備え付けることを含み、前記情報は、分注される飲料の識別に固有である。
【００２７】
本開示の第７の態様によれば、タップハンドルをタップ組立体に備え付ける方法であって、
積層芯材を形成するために複数のパネルを対向する関係で積み重ねるステップと、
複数のパネルを互いに対して位置合わせするステップと、
積層芯材を一体的に固定するステップと、
積層芯材によって定められる受部の中にタップステムを受け入れるステップと
を含む方法が提供される。
【００２８】
任意選択で、複数のパネルを積み重ねるステップは、ヒンジ留めで一体的に連結された複数のパネルを備えるブランクを折り畳むことを含む。
【００２９】
任意選択で、積層芯材を固定するステップは、積層芯材の一部分の周りにストラップを折り畳むことを含む。
【００３０】
任意選択で、積層芯材を固定するステップは、ストラップを複数のパネルのうちの少なくとも１つに接着することを含む。
【００３１】
任意選択で、方法は、
管状構造を形成するためにスリーブを直立させるステップと、
積層芯材をスリーブへと受け入れるステップと
をさらに含む。
【００３２】
本開示の第８の態様によれば、多層構造を形成するための複数のパネルを備えるタップハンドルを形成するためのブランクであって、複数のパネルのうちの少なくとも１つは、複数のパネルを互いと対向する関係で固定するために、その少なくとも１つのパネルにヒンジ留めで連結される固定ストラップを備える、ブランクが提供される。
【００３３】
任意選択で、複数のパネルのうちの少なくとも１つは、固定ストラップの少なくとも一部を受け入れるための凹部を定める切り落とし部を備える。
【００３４】
本開示の第９の態様によれば、多層構造を形成するための複数のパネルを備えるタップハンドルを形成するためのブランクであって、複数のパネルのうちの１つまたは複数は、タップ組立体の構成要素を受け入れるための受部を形成するために切り落とし部を備える、ブランクが提供される。
【００３５】
任意選択で、複数のパネルのうちの２つ以上が切り落とし部を各々備え、ブランクがタップ組立体の構成要素を受け入れるための受部を形成するように組み立てられた状態にあるとき、切り落とし部は互いと合致するように構成される。
【００３６】
任意選択で、複数のパネルは直線的な連続体として１つのものが隣のものにヒンジ留めされる。
【００３７】
任意選択で、切り落とし部の各々は、複数のパネルのうちの２つ以上のそれぞれ１つに凹部を形成するように、複数のパネルのうちの前記２つ以上のものの端縁に定められ、組み立て状態において、各々の凹部は受部の相対する側壁の対を一部において定める。
【００３８】
任意選択で、ブランクは、受部の相対する側壁を定めるための第１の外側パネルおよび第２の外側パネルを備える。
【００３９】
本開示の第１０の態様によれば、タップハンドルスリーブを形成するブランクであって、
管状構造の壁を形成するための複数のパネルと、
管状構造の一端を閉じるための少なくとも１つの端閉鎖パネルと
を備えるブランクが提供される。
【００４０】
本開示の第１１の態様によれば、管状構造を形成する複数のパネルを備え、複数のパネルの少なくとも１つが情報表示領域を提供する、タップハンドルスリーブが提供される。
【００４１】
本開示の第１２の態様によれば、飲料ディスペンサのためのハンドルシステムであって、
シート材料の複数の層から形成される支持部材であって、層の各々は、少なくとも１つの隣接する層に面接触の関係で固定され、支持部材は受部を定める、支持部材と、
支持部材を受け入れるための管状構造を形成する複数の壁を備え、複数の壁の少なくとも１つが情報表示領域を提供する、外部スリーブと、
受部内に備え付け可能であり、ハンドルシステムを飲料ディスペンサのタップステムに結合するための取付デバイスを備える連結装置と
を備えるハンドルシステムが提供される。
【００４２】
本開示の第１３の態様によれば、管状構造を形成する複数のパネルから形成されるフレームを備える飲料ディスペンサのためのタップハンドルであって、フレームは、フレームをタップステムに結合するための受部を形成する第１の切り落とし部を有する少なくとも１つの支柱パネルを備える、タップハンドルが提供される。
【００４３】
任意選択で、少なくとも１つの支柱パネルは、それにヒンジ留めで連結される支柱補強パネルを備え、支柱補強パネルは、第１の切り落とし部と合致して配置され、フレームをタップステムに結合するために受部の一部を形成する第２の切り落とし部を備える。
【００４４】
本開示の第１４の態様によれば、タップハンドルのフレームを形成するためのブランクであって、ブランクは、管状構造を形成するために複数のフレームパネルを備え、複数のフレームパネルは直線的な連続体として互いにヒンジ留めで連結され、ブランクは、複数のフレームパネルのうちの１つにヒンジ留めで連結される少なくとも１つの支柱パネルを備え、少なくとも１つの支柱パネルは、フレームをタップステムに結合するための受部を形成するために第１の切り落とし部を有する、ブランクが提供される。
【００４５】
任意選択で、ブランクは、少なくとも１つの支柱パネルにヒンジ留めで連結される支柱補強パネルを備え、支柱補強パネルは、組み立て状態において第１の切り落とし部と合致するように構成されて配置される第２の切り落とし部を備える。
【００４６】
任意選択で、第１の切り落とし部および第２の切り落とし部は、一部において少なくとも１つの支柱パネルから、および、一部において支柱補強パネルから打ち出される開口を形成するように形成される。
【００４７】
本開示の第１５の態様によれば、シート材料の複数の層から形成される芯材を備える飲料ディスペンサのためのタップハンドルであって、層の各々は、少なくとも１つの他の層に面接触の関係で配置される、タップハンドルが提供される。
【００４８】
任意選択で、シート材料の複数の層は、連結装置を受け入れるための受部を少なくとも一部において定める。
【００４９】
任意選択で、タップハンドルは、シート材料の複数の層のうちの少なくとも１つに設けられる少なくとも１つの切り落とし部を備え、少なくとも１つの切り落とし部は、連結装置を受け入れるための受部の少なくとも一部分を定める。
【００５０】
任意選択で、連結装置は、タップ組立体の一部分を受け入れるために開口部を備える。
【００５１】
任意選択で、連結装置は、連結装置の残りの部分より横方向の寸法が大きい係留部を、連結装置と芯材との間の相対移動を抑制するために係留部が少なくとも１つの切り落とし部に受け入れられるように備える。
【００５２】
任意選択で、少なくとも１つの切り落とし部は、シート材料の複数の層のうちの少なくとも１つに定められる開口を備える。
【００５３】
任意選択で、少なくとも１つの切り落とし部は、シート材料の複数の層のうちの少なくとも１つに定められる凹部を備える。
【００５４】
任意選択で、少なくとも１つの切り落とし部は、シート材料の複数の層のうちの少なくとも１つに定められる少なくとも１つの切れ目を備える。
【００５５】
任意選択で、少なくとも１つの切れ目は、シート材料の複数の層のうちの少なくとも１つに折り畳み可能に結合される１つまたは複数の変位可能なタブを定める。
【００５６】
任意選択で、タップハンドルは、受部の中に位置付けられる連結装置を備え、シート材料の複数の層のうちの少なくとも１つの表面が、芯材に対する連結装置の回転を抑制するように連結装置の表面と面接触の関係で配置される。
【００５７】
任意選択で、連結装置は、シート材料の複数の層のうちの少なくとも１つに固定される。
【００５８】
任意選択で、シート材料の複数の層は、螺旋構造を形成するために折り畳まれる。
【００５９】
任意選択で、シート材料の複数の層は連結装置の周りに巻かれる。
【００６０】
任意選択で、シート材料の複数の層は、複数の壁を有する管状構造を形成し、少なくとも１つの壁はシート材料の少なくとも２つの層を備える。
【００６１】
任意選択で、連結装置は６つの外面を備え、シート材料の複数の層は外面のうちの３つと面接触の関係で配置される。
【００６２】
任意選択で、連結装置は複数の外面を備え、シート材料の複数の層は複数の外面のうちの交互の外面と面接触の関係で配置される。
【００６３】
任意選択で、連結装置は、芯材に対する連結装置の回転を抑制するために少なくとも１つの回り止めを備える。
【００６４】
任意選択で、少なくとも１つの回り止めは、連結装置から延びる突起を備える。
【００６５】
任意選択で、少なくとも１つの回り止めは、連結装置に設けられる切欠きを備える。
【００６６】
任意選択で、係留部は、非円形形状を有する頭部を備える。
【００６７】
本開示の第１６の態様によれば、タップハンドルをタップ組立体に備え付ける方法であって、
多層管状構造を形成するために複数のパネルを連結装置の周りに巻くステップと、
管状構造を一体的に固定するステップと、
タップステムを連結装置の中に受け入れるステップと
を含む方法が提供される。
【００６８】
任意選択で、複数のパネルを積み重ねるステップは、ヒンジ留めで一体的に連結された複数のパネルを備えるブランクを折り畳むことを含む。
【００６９】
任意選択で、管状構造を固定するステップは、複数のパネルのうちの第１のパネルを、複数のパネルのうちの別のパネルに接着することを含む。
【００７０】
任意選択で、方法は、
管状構造を形成するためにスリーブを直立させるステップと、
スリーブを管状構造に備え付けるステップと
をさらに含む。
【００７１】
本開示の第１７の態様によれば、飲料ディスペンサのためのハンドルシステムであって、
シート材料の複数の層から形成される支持部材であって、層の各々は、少なくとも１つの他の層と面接触の関係で配置され、支持部材は受部を定める、支持部材と、
支持部材を受け入れるための管状構造を形成する複数の壁を備え、複数の壁の少なくとも１つが情報表示領域を提供する、外部スリーブと、
受部内に備え付け可能であり、ハンドルシステムを飲料ディスペンサのタップステムに結合するための取付デバイスを備える連結装置と
を備えるハンドルシステムが提供される。
【００７２】
本出願の範囲内において、先の段落、請求項、および／または以下の記載および図面において述べられる様々な態様、実施形態、例、特徴、および代替構成が独立して採用されても、または任意の組み合わせで採用されてもよいことが想定および意図される。例えば、１つの実施形態との関連で記載された特徴は、それら特徴同士が両立しないことがなければ、すべての実施形態に適用可能である。
【００７３】
ここで、本発明の例示の実施形態が添付の図面を参照して記載される。
【図面の簡単な説明】
【００７４】
【図１】第１の実施形態による支持部材を形成するためのブランクの上方からの平面図である。
【図２】連結装置の上方からの斜視図である。
【図３】図１のブランクから形成された支持部材の斜視図である。
【図４】第１の実施形態によるスリーブを形成するためのブランクの上方からの平面図である。
【図５】図４のブランクから形成されたスリーブの斜視図である。
【図６】支持部材が取り付けられ得る例示の飲料ディスペンサを示す図である。
【図７】支持部材が取り付けられ得る例示の飲料ディスペンサを示す図である。
【図８】図４のブランクから形成され、部分的に組み立てられたスリーブの斜視図である。
【図９】図１の支持部材と図２の連結装置とから形成されたタップハンドルの斜視図である。
【図１０】図１の支持部材と、図２の連結装置と、図５のスリーブとから形成されたタップハンドルの斜視図である。
【図１１】図６および図７の飲料ディスペンサに備え付けられる図１０のタップハンドルの斜視図である。
【図１２】第２の実施形態によるスリーブを形成するためのブランクの上方からの平面図である。
【図１３】第２の実施形態による支持部材を形成するためのブランクの上方からの平面図である。
【図１４】支持部材がスリーブへと挿入される準備がされるように互いと同軸に位置合わせされている、図１２および図１３のブランクからそれぞれ形成されたスリーブおよび支持部材の斜視図である。
【図１５】互いと同軸に位置合わせされている、図１２および図１３のブランクから形成されたスリーブおよび支持部材の別の斜視図である。
【図１６】第３の実施形態による支持部材を形成するためのブランクの上方からの平面図である。
【図１７】連結装置が支持部材の中に配置される、部分的に組み立てられた形態での支持部材の斜視図である。
【図１８】完全に組み立てられた形態での支持部材の斜視図である。
【図１９】第３の実施形態によるスリーブを形成するためのブランクの上方からの平面図である。
【図２０】スリーブの下端閉鎖フラップが開位置にある形態を示す、図１６の支持部材と、図１７における連結装置と、図１９のスリーブとから形成されたタップハンドルの図である。
【図２１】第４の実施形態による支持部材を形成するためのブランクの上方からの平面図である。
【図２２Ａ】連結部材の上方からの斜視図である。
【図２２Ｂ】図２２Ａの連結部材との使用のための係留部の上方からの斜視図である。
【図２２Ｃ】図２２Ｂの係留部および図２２Ａの連結部材から形成され、部分的に組み立てられた連結装置の上方からの斜視図である。
【図２２Ｄ】図２２Ｂの係留部および図２２Ａの連結部材から形成され、完全に組み立てられた連結装置の上方からの斜視図である。
【図２２Ｅ】図２２Ａの連結部材との使用のための代替の係留部の上方からの斜視図である。
【図２３】図１のブランクから形成された支持部材と図２２Ｄの連結装置とを備えるタップハンドルの斜視図である。
【図２４】第４の実施形態によるスリーブを形成するためのブランクの上方からの平面図である。
【図２５】図２４のブランクからのスリーブの構築の段階を示す図である。
【図２６】図２４のブランクからのスリーブの構築の段階を示す図である。
【図２７】図２４のブランクから形成されたスリーブの上方からの斜視図である。
【図２８】スリーブの下端閉鎖パネルが開位置にある形態を示す、図２３の支持部材と、図２２Ｄの連結装置と、図２７のスリーブとから形成されたタップハンドルの図である。
【図２９】スリーブの下端閉鎖パネルが閉位置にある形態を示す、図２３の支持部材と、図２２Ｄの連結装置と、図２７のスリーブとから形成されたタップハンドルの図である。
【発明を実施するための形態】
【００７５】
タップハンドル、支持部材、スリーブ、ブランク、使用の方法、組み立ての方法、連結装置、およびタップハンドルシステムの特定の実施形態の詳細な記載が本明細書に開示される。開示される実施形態が、本開示の特定の態様が実施できる方法の例に過ぎず、本発明が具現化され得る方法のすべてを網羅した一覧に相当しないことは、理解されるものである。本明細書で使用されるとき、「例示」という言葉は、図示、見本、モデル、または図案の役目を果たす実施形態に言及するために広く使用される。実際、本明細書に記載されているタップハンドル、支持部材、スリーブ、ブランク、使用の方法、組み立ての方法、連結装置、およびタップハンドルシステムが様々な代替の形態で具現化され得ることは、理解されるものである。図は必ずしも一定の縮尺でなく、一部の特徴は、具体的な構成要素の詳細を示すために誇張または最小化される可能性がある。よく知られている構成要素、材料、または方法は、本開示を不明瞭にするのを回避するために、必ずしも詳細に記載されていない。本明細書で開示されている任意の特定の構造的詳細および機能的詳細は、限定として解釈されることはなく、請求項についての根拠として、および、本発明を様々に用いるために当業者に教示するための代表的な根拠として単に解釈されるものである。
【００７６】
図１を参照すると、タップハンドルの少なくとも一部を形成するために、図３に示されているような芯材または支持部材９０を形成することができるブランク１０の平面図が示されている。図４は、タップハンドルの一部を形成するために、図５に示されているようなスリーブ１９０を形成することができるブランク１１０の平面図が示されている。
【００７７】
ブランク１０、１１０は適切な基材のシートから形成されている。本明細書で使用されるとき、「適切な基材」という用語が、板紙、段ボール、ボール紙、プラスチック、それらの組み合わせなど、すべての種類の折り畳み可能なシート材料を含むことは、理解されるものである。例えば、後でより詳細に記載される運搬構造を提供するのに適する場合、１つまたは他の数のブランクが用いられてもよいことは、認識されるべきである。
【００７８】
図１を参照すると、第１のブランク１０が示されており、第１のブランク１０は、直線的な連続体として１つのものが隣のものにヒンジ留めされた複数の主パネル１２、１４、１６、１８、２０、２２、２４、２６、２８を備える。ブランク１０は、並列な離間された折り線１３の対の形態でのヒンジ留め連結によって第１の内側パネル１４にヒンジ留めされた第１の外側パネル１２を備える。第１の内側パネル１４は、並列な離間された折り線１５の対の形態でのヒンジ留め連結によって第２の内側パネル１６にヒンジ留めされている。第２の内側パネル１６は、並列な離間された折り線１７の対の形態でのヒンジ留め連結によって第３の内側パネル１８にヒンジ留めされている。第３の内側パネル１８は、並列な離間された折り線１９の対の形態でのヒンジ留め連結によって第４の内側パネル２０にヒンジ留めされている。第４の内側パネル２０は、並列な離間された折り線２１の対の形態でのヒンジ留め連結によって第５の内側パネル２２にヒンジ留めされている。第５の内側パネル２２は、並列な離間された折り線２３の対の形態でのヒンジ留め連結によって第６の内側パネル２４にヒンジ留めされている。第６の内側パネル２４は、並列な離間された折り線２５の対の形態でのヒンジ留め連結によって第７の内側パネル２６にヒンジ留めされている。第７の内側パネル２６は、並列な離間された折り線２７の対の形態でのヒンジ留め連結によって第２の外側パネル２８にヒンジ留めされている。
【００７９】
任意選択で、第１の外側パネル１２の上端部分および下端部分は、切断線Ｃ１によって第１の内側パネル１４の上端部分および下端部分から分離され得る。第１の内側パネル１４の上端部分および下端部分は、切断線Ｃ２によって第２の内側パネル１６の上端部分および下端部分から分離され得る。第２の内側パネル１６の上端部分および下端部分は、切断線Ｃ３によって第３の内側パネル１８の上端部分および下端部分から分離され得る。第３の内側パネル１８の上端部分および下端部分は、切断線Ｃ４によって第４の内側パネル２０の上端部分および下端部分から分離され得る。第４の内側パネル２０の上端部分および下端部分は、切断線Ｃ５によって第５の内側パネル２２の上端部分および下端部分から分離され得る。第５の内側パネル２２の上端部分および下端部分は、切断線Ｃ６によって第６の内側パネル２４の上端部分および下端部分から分離され得る。第６の内側パネル２４の上端部分および下端部分は、切断線Ｃ７によって第７の内側パネル２６の上端部分および下端部分から分離され得る。第７の内側パネル２６の上端部分および下端部分は、切断線Ｃ８によって第２の外側パネル２８の上端部分および下端部分から分離され得る。
【００８０】
任意選択で、並列な離間された折り線１５、１７、１９、２１、２３、２５の対の各々は、第１の切り落とし部または開口Ａ３によって分断され得る。
【００８１】
任意選択で、並列な離間された折り線１３、２７の対の各々は、第２の切り落とし部または開口Ａ２によって分断され得る。
【００８２】
任意選択で、第１のブランク１０は、第１の外側パネル１２の第１の側縁に沿って第１の外側パネル１２にヒンジ留めされたタブ３０ａ、３２ａの第１の対を備える。第１の側縁は、折り線１３の対によって定められたヒンジ留め連結の反対側である。タブ３０ａ、３２ａの第１の対は、折り線３１ａの形態でのヒンジ留め連結によって第２のタブ３２ａにヒンジ留めされた第１のタブ３０ａを備える。第２のタブ３２ａは、折り線１１の形態でのヒンジ留め連結によって第１の外側パネル１２にヒンジ留めされている。
【００８３】
任意選択で、第１のブランク１０は、第２の外側パネル２８の第１の側縁に沿って第２の外側パネル２８にヒンジ留めされたタブ３０ｂ、３２ｂの第２の対を備える。第１の側縁は、折り線２７の対によって定められたヒンジ留め連結の反対側である。タブ３０ｂ、３２ｂの第２の対は、折り線３１ｂの形態でのヒンジ留め連結によって第４のタブ３２ｂにヒンジ留めされた第３のタブ３０ｂを備える。第４のタブ３２ｂは、折り線２９の形態でのヒンジ留め連結によって第２の外側パネル２８にヒンジ留めされている。
【００８４】
第２の内側パネル１６は、第１の凹部Ｒ１の形態での切り落とし部を備える。第１の凹部Ｒ１は、第２の内側パネル１６の第１の端または下端から、反対側の第２の端または上端に向けて延びている。
【００８５】
第３の内側パネル１８は、第２の凹部Ｒ２の形態での切り落とし部を備える。第２の凹部Ｒ２は、第３の内側パネル１８の第１の端または下端から、反対側の第２の端または上端に向けて延びている。
【００８６】
第４の内側パネル２０は、第３の凹部Ｒ３の形態での切り落とし部を備える。第３の凹部Ｒ３は、第４の内側パネル２０の第１の端または下端から、反対側の第２の端または上端に向けて延びている。
【００８７】
第５の内側パネル２２は、第４の凹部Ｒ４の形態での切り落とし部を備える。第４の凹部Ｒ４は、第５の内側パネル２２の第１の端または下端から、反対側の第２の端または上端に向けて延びている。
【００８８】
第６の内側パネル２４は、第５の凹部Ｒ５の形態での切り落とし部を備える。第５の凹部Ｒ５は、第６の内側パネル２４の第１の端または下端から、反対側の第２の端または上端に向けて延びている。
【００８９】
第１の凹部Ｒ１および第５の凹部Ｒ５は、第２の凹部Ｒ２、第３の凹部Ｒ３、および第４の凹部Ｒ４より幅が狭くてもよい。
【００９０】
第１の凹部Ｒ１、第２の凹部Ｒ２、第３の凹部Ｒ３、第４の凹部Ｒ４、および第５の凹部Ｒ５は、第１のブランク１０が組み立てられた状態にあるとき、第１の凹部Ｒ１、第２の凹部Ｒ２、第３の凹部Ｒ３、第４の凹部Ｒ４、および第５の凹部Ｒ５が位置合わせされるように構成されている。組み立てられた状態において、第２のパネル１６、第３のパネル１８、第４のパネル２０、第５のパネル２２、および第６のパネル２４は重なり合う関係になり、第２の凹部Ｒ２、第３の凹部Ｒ３、および第４の凹部Ｒ４は、重なり合うパネル１６、１８、２０、２２、２４の厚さの方向（つまり、「厚さ方向」）において互いと位置合わせされるように互いと合致している。同様に、第１の凹部Ｒ１と第５の凹部Ｒ５とは、厚さ方向において互いと位置合わせされるように互いと合致している。第１の凹部Ｒ１および第５の凹部Ｒ５は、第２の凹部Ｒ２、第３の凹部Ｒ３、および第４の凹部Ｒ４に対して中央に位置合わせされ得る。
【００９１】
第１の凹部Ｒ１、第２の凹部Ｒ２、第３の凹部Ｒ３、第４の凹部Ｒ４、および第５の凹部Ｒ５は一緒に、連結部材２００（図２に示されている）の形態での連結装置を保持するために、支持部材９０において受部または受入部を形成する。組み合わされた第１の凹部Ｒ１、第２の凹部Ｒ２、第３の凹部Ｒ３、第４の凹部Ｒ４、および第５の凹部Ｒ５は、支持部材９０の底部において開口部を定めるかまたは形成する効果を有する。
【００９２】
図２は取付品または連結部材２００を示しており、連結部材２００は、ネジ山付き挿入体またはナットの形態を取っている。連結部材２００は、内部または雌のネジ山を有する開口部または孔を備える。
【００９３】
連結部材２００は、連結部材２００の側壁の外面によって提供される六角形のネジ駆動部の形態でのキーを備え得る。キーは、支持部材９０の受部と一致する。キーは、受部に挿入されるとき、連結部材２００に対する支持部材９０の回転を防止または抑制できる。キーにより、支持部材は、図６および図７に示されたタップ組立体３００において連結部材２００を備え付けるかまたはネジ込むためのドライバまたは工具の役目を果たすことができる。
【００９４】
キーは、連結部材２００および／またはタップ組立体３００に対して支持部材９０を位置合わせするために、位置合わせデバイスの役目を果たすこともできる。
【００９５】
他の実施形態では、キーは、省略されてもよく、または、限定されることはないが、正方形または五角形の駆動部などの代替の形態を取ってもよく、連結部材２００は、連結部材２００が捩じ込まれる基材を提供する支持部材９０に連結部材２００を留め付けるために、外部または雄のネジ山を備えてもよい。
【００９６】
さらに他の実施形態では、連結部材２００は、接着剤または他の接着処理によって受部の中に固定されてもよい。
【００９７】
一部の実施形態では、支持部材９０によって提供される受部は、タップステム３３０の雄ネジ部分３１０を直接的に受け入れることができ、連結部材２００は省略されてもよい。代替の実施形態では、ネジ山がタップステム３３０の上方部分から省略されてもよいことは、理解されるものである。タップステム３３０の上方部分は、支持部材９０との摩擦嵌めまたは締まり嵌めを形成してもよい。
【００９８】
図４を参照すると、図５のスリーブ１９０を形成するための第２のブランク１１０が示されている。ブランク１１０は、管状構造の壁を形成するための複数の主パネル１１２、１１４ａ、１１４ｂ、１１６、１１８ａ、１１８ｂ、１２０を備える。複数の主パネル１１２、１１４ａ、１１４ｂ、１１６、１１８ａ、１１８ｂ、１２０は、図示されているような直線的な連続体として１つのものが隣のものにヒンジ留めされ得る。ブランク１１０は、折り線１１３の形態でのヒンジ留め連結によって第１の端パネル１１４ａにヒンジ留めされた第１の側方パネル１１２を備える。第１の端パネル１１４ａは、折り線１１５の形態でのヒンジ留め連結によって第２の端パネル１１４ｂにヒンジ留めされている。第１の端パネル１１４ａと第２の端パネル１１４ｂとは、一緒に管状構造の第１の端壁を形成する。第２の端パネル１１４ｂは、折り線１１７の形態でのヒンジ留め連結によって第２の側方パネル１１６にヒンジ留めされている。第２の側方パネル１１６は、折り線１１９の形態でのヒンジ留め連結によって第３の端パネル１１８ａにヒンジ留めされている。第３の端パネル１１８ａは、折り線１２１の形態でのヒンジ留め連結によって第４の端パネル１１８ｂにヒンジ留めされている。第３の端パネル１１８ａと第４の端パネル１１８ｂとは、一緒に管状構造の第２の端壁を形成する。固定パネル１２０が、折り線１２３によって第４の端パネル１１８ｂにヒンジ留めされている。
【００９９】
任意選択で、第２の側方パネル１１６は、二等辺四辺形の形状となるように先細りとされる。同様に、第１の側方パネル１１２は、二等辺四辺形の形状となるように先細りとされ得る。任意選択で、固定パネル１２０は、二等辺四辺形の形状となるように先細りとされ得る。
【０１００】
ブランク１１０の複数の主パネル１１２、１１４ａ、１１４ｂ、１１６、１１８ａ、１１８ｂ、１２０は、組み立て状態において、開放した端の管状構造を形成する。
【０１０１】
管状構造の第１の上端が、端閉鎖パネルによって少なくとも部分的に閉じられる。図示されている実施形態では、管状構造の第１の端は、端閉鎖パネル１２４ａ、１２４ｂ、１２６、１２８、１３０ａ、１３０ｂによって完全に閉じられる。
【０１０２】
第１の端閉鎖パネル１２４ａは、折り線１２３の形態でのヒンジ留め連結によって第１の端パネル１１４ａの第１の端にヒンジ留めされている。第２の端閉鎖パネル１２４ｂは、折り線１２３の形態でのヒンジ留め連結によって第２の端パネル１１４ｂの第１の端にヒンジ留めされている。第３の端閉鎖パネル１２６は、折り線１２５の形態でのヒンジ留め連結によって第２の側方パネル１１６の第１の端にヒンジ留めされている。固定または押込みのフラップ１２８が、折り線１２７の形態でのヒンジ留め連結によって第３の端閉鎖パネル１２６の端縁にヒンジ留めされており、前記端縁は、第３の端閉鎖パネル１２６と第２の側方パネル１１６との間のヒンジ留め連結の反対側にある。第５の端閉鎖パネル１３０ａは、折り線１２９の形態でのヒンジ留め連結によって第３の端パネル１１８ａの第１の端にヒンジ留めされている。第６の端閉鎖パネル１３０ｂは、折り線１２９の形態でのヒンジ留め連結によって第４の端パネル１１８ｂの第１の端にヒンジ留めされている。第１の端閉鎖パネル１２４ａおよび第２の端閉鎖パネル１２４ｂは一緒に、第１の小さい端閉鎖フラップ１２４ａ／１２４ｂまたはダストフラップを形成する。第５の端閉鎖パネル１３０ａおよび第６の端閉鎖パネル１３０ｂは一緒に、第２の小さい端閉鎖フラップ１３０ａ／１３０ｂまたはダストフラップを形成する。
【０１０３】
図を参照すると、図６および図７は、本開示によるタップハンドル４９０と共に使用するためのタップ組立体３００の１つの特定の実施形態の斜視図および側面図をそれぞれ描写している。図６および図７に示されているように、タップハンドル４９０は、タップステム３３０との組み合わせで作動するように適合されている。タップステム３３０は、当業者には知られているような既存のタップステム３３０であり、そのため、限定されることはないが、ビールまたは一部の他のドラフト飲料を分注するために使用される圧力分注のバータップなどのタップ３２０を通じた飲料の流れを制御する。標準的なタップステムの上方部分３１０は、典型的には実質的に円筒の形であり、雄ネジのネジ山が付けられている。タップステム３３０は、３／８インチの直径を備え、標準的な雄ネジ山（典型的には、１６  ＵＮＣ（１インチあたり１６個のネジ山、米国規格、ＡＮＳＩ  Ｂ  １．１に定められるユニファイ並目ネジ））を有し得る。代替の実施形態では、タップステム３３０は、１０ｍｍの直径を有し、Ｍ１０ｘ１．５ｍｍ（ＩＳＯ２６１：ＩＳＯ一般用メートルねじにおいて定められるようなもの）などの標準的な雄ネジ山を有し得る。タップステム３３０は、代替の直径またはネジ山を伴うタップステムを含め、標準的でないタップステムを備えてもよいが、このような標準的な上方のタップステム部分を備え得る。
【０１０４】
図３および図９に示されている支持部材９０の構造を見ると、支持部材９０は、その構造を完全にするために回転または反転される必要がないように、一連の連続した折り畳み動作によって形成され得る。折り畳みの過程は、後に記載されるものに限定されず、具体的な製造の要件に従って変更されてもよい。
【０１０５】
複数の主パネル１２、１４、１６、１８、２０、２２、２４、２６、２８は、ジグザグの折り畳み、蛇腹状の折り畳み、またはｚ字の折り畳みとしても知られるコンチェルティーナ状の折り畳みを形成するために折り畳まれる。コンチェルティーナ状の折り畳みは、前から後ろへとジグザグの折り畳みに交互に作られる折り畳みを伴うアコーディオン状に、複数の主パネル１２、１４、１６、１８、２０、２２、２４、２６、２８を形成する材料の連続した並列の折り畳みである。
【０１０６】
複数の主パネル１２、１４、１６、１８、２０、２２、２４、２６、２８は、第１の外側パネル１２が支持部材９０の第１の側壁を形成するように折り畳まれる。ブランク１０は、第１の表面と第２の反対側の表面とを備える。第１の外側パネル１２の第１の表面は支持部材９０の第１の外面を提供する。第２の外側パネル２８は支持部材９０の第２の側壁を形成し、第２の外側パネル２８の第２の表面は支持部材９０の第２の反対側の外面を提供する。
【０１０７】
第１の外側パネル１２の第２の表面は、第１の内側パネル１４の第２の表面と対向する関係で配置される。
【０１０８】
第２の外側パネル２８の第１の表面は、第７の内側パネル２６の第１の表面と対向する関係で配置される。
【０１０９】
複数の主パネル１２、１４、１６、１８、２０、２２、２４、２６、２８の各々の相対する縁は、支持部材９０の相対する端壁Ｅ１、Ｅ２を定めるかまたは形成する。
【０１１０】
第１の開口Ａ３は、支持部材９０の反対側の端壁Ｅ１、Ｅ２の各々にタブ凹部を形成する。第２の開口Ａ２は、第１の外側パネル１２および第２の外側パネル２８の各々にさらなるタブ凹部を形成する。
【０１１１】
タブ３０ａ、３２ａの第１の対は、複数の主パネル１２、１４、１６、１８、２０、２２、２４、２６、２８の周りに折り畳まれる。第２のタブ３２ａは、第１の開口Ａ３によって定められたタブ凹部のうちの第１のものに受け入れられるように折り畳まれる。第１のタブ３０ａは、第２の外側パネル２８に形成されたさらなるタブ凹部のうちの第１のものに受け入れられるように、第２のタブ３２ａに対して折り畳まれる。
【０１１２】
タブ３０ｂ、３２ｂの第２の対は、複数の主パネル１２、１４、１６、１８、２０、２２、２４、２６、２８の周りに折り畳まれる。第４のタブ３２ｂは、第１の開口Ａ３によって定められたタブ凹部のうちの第２のものに受け入れられるように折り畳まれ、タブ凹部のうちの第２のものは、複数の主パネル１２、１４、１６、１８、２０、２２、２４、２６、２８の、タブ凹部のうちの第１のものと反対の側に配置される。第３のタブ３０ｂは、第１の外側パネル１２に形成されたさらなるタブ凹部のうちの第２のものに受け入れられるように、第４のタブ３２ｂに対して折り畳まれる。
【０１１３】
第２のタブ３２ａおよび第４のタブ３２ｂは、結束ストラップまたは固定ストラップを各々形成する。第２のタブ３２ａおよび第４のタブ３２ｂは、複数の主パネル１２、１４、１６、１８、２０、２２、２４、２６、２８の位置合わせを維持する。
【０１１４】
第１のタブ３０ａおよび第３のタブ３０ｂは固定タブを形成する。
【０１１５】
接着剤Ｇまたは他の接着処理が、第１のタブ３０ａおよび第３のタブ３０ｂの各々に適用でき、代替の実施形態では、さらなるタブ凹部を通じて露出される第１の内側パネル１４および第７の内側パネル２６の対応する場所に適用できる。
【０１１６】
第１のタブ３０ａおよび第３のタブ３０ｂは、さらなるタブ凹部を通じて露出される第１の内側パネル１４および第７の内側パネル２６に固定され得る。
【０１１７】
代替で、第１のタブ３０ａおよび第３のタブ３０ｂは、さらなるタブ凹部内に摩擦嵌めまたは締まり嵌めを形成してもよい。
【０１１８】
このようにして、タブ３０ａ、３２ａ、３０ｂ、３２ｂの第１および第２の対は、複数の主パネル１２、１４、１６、１８、２０、２２、２４、２６、２８を折り畳み状態に保持するための固定デバイスの役目を果たす。
【０１１９】
したがって、複数の主パネル１２、１４、１６、１８、２０、２２、２４、２６、２８の各々は、隣り合う隣接するものと対向する関係で保持される。
【０１２０】
一部の実施形態では、第１のタブ３０ａおよび第３のタブ３０ｂは省略されてもよく、第２のタブ３２ａおよび第４のタブ３２ｂで、複数の主パネル１２、１４、１６、１８、２０、２２、２４、２６、２８を折り畳み状態または結束状態に保持するのに十分であり得る。第２のタブ３２ａおよび第４のタブ３２ｂは、端壁Ｅ１、Ｅ２におけるタブ凹部に摩擦嵌めまたは締まり嵌めを形成でき、一部の実施形態では、接着剤または他の接着処理が用いられ得る。
【０１２１】
図５および図８に示されているスリーブ１９０の構造を見ると、スリーブ１９０は、その構造を完全にするために回転または反転される必要がないように、直線機械における一連の連続した折り畳み動作によって形成され得る。折り畳みの過程は、後に記載されるものに限定されず、具体的な製造の要件に従って変更されてもよい。
【０１２２】
ブランク１１０は、第４の端パネル１１８ｂが第３の端パネル１１８ａの内側面と面接触の関係とされ、固定パネル１２０が第２の側方パネル１１６の内側面と面接触の関係とされるように、折り線１２１を中心として折り畳まれる。
【０１２３】
接着剤または他の接着処理は、固定パネル１２０の外面に適用されるか、または、代替の実施形態では、第１の側方パネル１１２の内面の対応する部分に適用される。
【０１２４】
ブランク１１０は、第１の端パネル１１４ａが第２の端パネル１１４ｂの内側面と面接触の関係とされ、第１の側方パネル１１２が固定パネル１２０の外面と面接触の関係とされるように、折り線１１５を中心として折り畳まれる。
【０１２５】
第１の側方パネル１１２は固定パネル１２０に固定される。このようにして、平坦な押し潰れた管状構造またはスリーブが形成される。スリーブ１９０は、この平坦な押し潰れた形態で出荷または流通され得る。平坦な押し潰れたスリーブ１９０は、第１の側方パネル１１２と第２の側方パネル１１６とを分離することで、管状構造へと直立させられ得る。
【０１２６】
スリーブ１９０は、端が開放した管状形態において、スリーブ１９０の第２の端または上端を通じて支持部材９０が装着され得る。他の実施形態では、スリーブが、支持部材９０が第１の端または第２の端のいずれかを通じてスリーブ１９０へと挿入可能となるように構成されてもよいことは、理解されるものである。
【０１２７】
スリーブ１９０の先細りの形状および支持部材９０の先細りの形状のために、支持部材９０は、スリーブ１９０の第１の下方の開放した端を通じて引き出されるかまたは不意に出て行くことが防止されるかまたは少なくとも抑制される。
【０１２８】
スリーブ１９０に支持部材９０が装着されると、スリーブ１９０の第２の上方の端が閉じられる。
【０１２９】
スリーブ１９０の第２の上方の端は、折り線１２３、１２９のそれぞれを中心として第１の小さい端閉鎖フラップ１２４ａ／１２４ｂおよび第２の小さい端閉鎖フラップ１３０ａ／１３０ｂを折り畳むことで閉じられる。
【０１３０】
第３の端閉鎖パネル１２６は折り線１２５を中心として折り畳まれ、固定フラップ１２８は折り線１２７を中心として折り畳まれる。固定フラップ１２８は、第１の側方パネル１１２と支持部材９０との間でスリーブ１９０の管状構造の内部へと挿入される。第３の端閉鎖パネル１２６は、スリーブ１９０の第２の上端を少なくとも部分的に閉じる。
【０１３１】
連結部材２００は、支持部材９０の底部または下端において受部へと挿入される。
【０１３２】
連結部材２００は、支持部材９０をスリーブ１９０に装着する前に支持部材９０へと挿入されてもよい。
【０１３３】
連結部材２００は、支持部材９０をスリーブ１９０に装着した後に支持部材９０へと挿入されてもよい。
【０１３４】
支持部材９０、スリーブ１９０、および連結部材２００は、タップハンドルシステムの構成部品を形成する。
【０１３５】
組み立てられたタップハンドル４９０が図１０に示されている。タップハンドル４９０は、飲料ディスペンサを形成するために、図６および図７に示されているものなどのタップ組立体３００に装着され得る。
【０１３６】
飲料ディスペンサが図１１に示されている。操作者はタップハンドル４９０を作動させ、タップハンドル４９０をレバーとして用いて、飲料が分注されるようにタップ組立体３００の弁を開けることができる。
【０１３７】
代替の実施形態では、連結部材２００は、支持部材９０の受部に挿入される前に、タップ組立体３００に装着されてもよい。
【０１３８】
ここで図１２〜図１５Ｂを参照すると、本開示の第２の実施形態が示されている。第２の実施形態は第１の実施形態と多くの共通の特徴を共有しており、そのため、図１〜図３に示された実施形態からの違いだけが詳細に記載される。
【０１３９】
図１２を参照すると、図１４Ａおよび図１５Ａに示されたような第２の図示された実施形態によるスリーブ５９０を形成するための代替の第２のブランク５１０が示されている。ブランク５１０は、管状構造の壁を形成するための複数の主パネル５１２、５１４、５１６を備える。複数の主パネル５１２、５１４、５１６は、図示されているような直線的な連続体として１つのものが隣のものにヒンジ留めされ得る。ブランク５１０は、折り線５１３の形態でのヒンジ留め連結によって第２の壁パネル５１４にヒンジ留めされた第１の壁パネル５１２を備える。第２の壁パネル５１４は、折り線５１５の形態でのヒンジ留め連結によって第３の壁パネル５１６にヒンジ留めされている。
【０１４０】
固定パネル５１８は、折り線５１７の形態でのヒンジ留め連結によって第１の壁パネル５１２にヒンジ留めされている。固定パネル５１８は第１の壁パネル５１２の第１の側縁に沿ってヒンジ留めされ、第１の側縁は、第２の壁パネル５１４が沿ってヒンジ留めされる第１の壁パネル５１２の第２の側縁の反対側である。
【０１４１】
第２のブランク５１０は、固定パネル５１８に係合するための少なくとも１つの係止タブを備える。図示されている実施形態は３つの係止タブ５２０Ａ、５２０Ｂ、５２０Ｃを備えている。係止タブ５２０Ａ、５２０Ｂ、５２０Ｃは、折り線５１９Ａ、５１９Ｂ、５１９Ｃの形態でのそれぞれのヒンジ留め連結によって、第３の壁パネル５１６の側縁にヒンジ留めされている。固定パネル５１８は少なくとも１つの係止タブ受入部を備える。図示されている実施形態は３つの係止タブ受入部Ｓ３、Ｓ４、Ｓ５を備えている。係止タブ受入部Ｓ３、Ｓ４、Ｓ５の各々は、係止タブ５２０Ａ、５２０Ｂ、５２０Ｃのそれぞれ１つを受け入れるように構成されている。図示されている実施形態では、係止タブ受入部Ｓ３、Ｓ４、Ｓ５はスリットまたは切断線の形態を取っている。スリットは、係止タブ５２０Ａ、５２０Ｂ、５２０Ｃのうちの１つを受け入れる寸法とされている。スリットは、第１の壁パネル５１２と固定パネル５１８との間の折り線５１７を分断してもよい。
【０１４２】
ブランク５１０の複数の主パネル５１２、５１４、５１６は、係止タブ５２０Ａ、５２０Ｂ、５２０Ｃの各々を係止タブ受入部Ｓ３、Ｓ４、Ｓ５のそれぞれ１つに係合することによって所定位置で固定される組み立て状態において、端が開放した管状構造を形成する。
【０１４３】
管状構造の第１の上端が、端閉鎖パネルを備える端閉鎖構造によって少なくとも部分的に閉じられる。図示されている実施形態では、管状構造の第１の端は、端閉鎖パネル５２４、５２６、５３０によって完全に閉じられる。
【０１４４】
第１の端閉鎖パネル５２４は、折り線５２３の形態でのヒンジ留め連結によって第１の壁パネル５１２の第１の端にヒンジ留めされている。第２の端閉鎖パネル５２６は、折り線５２５の形態でのヒンジ留め連結によって第２の壁パネル５１４の第１の端にヒンジ留めされている。第３の端閉鎖パネル５３０は、折り線５２７の形態でのヒンジ留め連結によって第３の壁パネル５１６の第１の端にヒンジ留めされている。
【０１４５】
第１の固定または押込みのフラップ５２８ａが、折り線５２９ａの形態でのヒンジ留め連結によって第２の端閉鎖パネル５２６の第１の自由縁にヒンジ留めされている。第２の固定または押込みのフラップ５２８ｂが、折り線５２９ｂの形態でのヒンジ留め連結によって第２の端閉鎖パネル５２６の第２の自由縁にヒンジ留めされている。第３の端閉鎖パネル５３０は、折り線５２７の形態でのヒンジ留め連結によって第３の壁パネル５１６の第１の端にヒンジ留めされている。
【０１４６】
第１の端閉鎖パネル５２４は第１の固定フラップ受入部Ｓ１を備える。第１の固定フラップ受入部Ｓ１は、第１の固定フラップ５２８ａを受け入れるように構成されている。第３の端閉鎖パネル５３０は第２の固定フラップ受入部Ｓ２を備える。第２の固定フラップ受入部Ｓ２は、第２の固定フラップ５２８ｂを受け入れるように構成されている。図示されている実施形態では、第１の固定フラップ受入部Ｓ１および第２の固定フラップ受入部Ｓ２はスリットまたは切断線の形態を取っている。スリットは、第１の固定フラップ５２８ａおよび第２の固定フラップ５２８ｂのそれぞれ１つを受け入れる寸法とされている。スリットは折り線５２３、５２７の各々を分断してもよい。
【０１４７】
図１４Ａおよび図１５Ａに示されているスリーブ５９０の構造を見ると、スリーブ５９０は、その構造を完全にするために回転または反転される必要がないように、直線機械における一連の連続した折り畳み動作によって形成され得る。折り畳みの過程は、後に記載されるものに限定されず、具体的な製造の要件に従って変更されてもよい。
【０１４８】
固定パネル５１８は、第１の壁パネル５１２に対して折り線５１７を中心として折り畳まれる。係止タブ５２０Ａ、５２０Ｂ、５２０Ｃは、それぞれ折り線５１９Ａ、５１９Ｂ、５１９Ｃを中心として折り畳まれる。第１の壁パネル５１２は折り線５１７を中心として折り畳まれ、第３の壁パネル５１６は、第１の壁パネル５１２に向けて折り線５１５を中心として折り畳まれる。係止タブ５２０Ａ、５２０Ｂ、５２０Ｃの各々は、係止タブ受入部Ｓ３、Ｓ４、Ｓ５の各々へと挿入される。
【０１４９】
このようにして、三角形の断面形状を有する管状構造が形成される。
【０１５０】
管状構造の端が、第１および第３の端閉鎖パネル、５２４、５３０を折り線５２３、５２７を中心として折り畳むことによって閉じられる。
【０１５１】
第１の固定フラップ５２８ａおよび第２の固定フラップ５２８ｂは、それぞれ折り線５２９ａ、５２９ｂを中心として折り畳まれる。
【０１５２】
次に、第２の端閉鎖パネル５２６が、折り線５２５を中心として第１の端閉鎖パネル５２４および第３の端閉鎖パネル５３０に向けて折り畳まれる。第１の固定フラップ５２８ａおよび第２の固定フラップ５２８ｂは、図１５Ａに示されているように、端閉鎖構造を閉状態に固定するように第１および第２の固定フラップ受入部Ｓ１、Ｓ２へと挿入される。
【０１５３】
図１３を参照すると、図１４Ｂおよび図１５Ｂに示されたような第２の図示された実施形態による支持部材またはフレーム６９０を形成するための代替の第１のブランク６１０が示されている。第１のブランク６１０は、直線的な連続体として１つのものが隣のものにヒンジ留めされ得る複数の主パネル６１２、６１４、６１６、６１８、６２０を備える。ブランク６１０は、複数（３つ）の並列な離間された折り線６１３の形態でのヒンジ留め連結によって第１のフレームパネル６１４にヒンジ留めされた第１の支柱パネル６１２を備える。第１のフレームパネル６１４は、複数（３つ）の並列な離間された折り線６１５の形態でのヒンジ留め連結によって第２のフレームパネル６１６にヒンジ留めされている。第２のフレームパネル６１６は、複数（３つ）の並列な離間された折り線６１７の形態でのヒンジ留め連結によって第３のフレームパネル６１８にヒンジ留めされている。第３のフレームパネル６１８は、複数（３つ）の並列な離間された折り線６１９の形態でのヒンジ留め連結によって第２の支柱パネル６２０にヒンジ留めされている。
【０１５４】
第１の支柱補強パネル６２２が、複数（３つ）の並列な離間された折り線６２１の形態でのヒンジ留め連結によって第１の支柱パネル６１２にヒンジ留めされている。
【０１５５】
第２の支柱補強パネル６２４は、複数（３つ）の並列な離間された折り線６２３の形態でのヒンジ留め連結によって第２の支柱パネル６２０にヒンジ留めされている。
【０１５６】
第１の開口Ａ１が、一部において第１の支柱補強パネル６２２から、および、一部において第１の支柱パネル６１２から打ち出されている。第１の開口Ａ１は、第１の支柱補強パネル６２２と第１の支柱パネル６１２との間のヒンジ留め連結を分断している。
【０１５７】
第２の開口Ａ２が、一部において第２の支柱補強パネル６２４から、および、一部において第２の支柱パネル６２０から打ち出されている。第２の開口Ａ２は、第２の支柱補強パネル６２４と第２の支柱パネル６２０との間のヒンジ留め連結を分断している。
【０１５８】
第１の開口Ａ１は、第１の支柱パネル６１２の下端縁において第１の切り落とし部または凹部Ｃ１を定めている。
【０１５９】
第１の開口Ａ１は、第１の支柱補強パネル６２２が折り線６２１を中心として第１の支柱パネル６１２と対向する関係になるように折り畳まれるとき、第１の支柱補強パネル６２２の下端縁において第２の切り落とし部または凹部Ｃ２を定める。
【０１６０】
第２の開口Ａ２は、第２の支柱パネル６２０の下端縁において第３の切り落とし部または凹部Ｃ３を定めている。
【０１６１】
第２の開口Ａ２は、第２の支柱補強パネル６２４が折り線６２３を中心として第２の支柱パネル６２０と対向する関係になるように折り畳まれるとき、第２の支柱補強パネル６２４の下端縁において第４の切り落とし部または凹部Ｃ４を定める。
【０１６２】
図１４Ｂおよび図１５Ｂに示されているフレーム６９０の構造を見ると、フレーム６９０は、一連の連続した折り畳み動作によって形成され得る。折り畳みの過程は、後に記載されるものに限定されず、具体的な製造の要件に従って変更されてもよい。
【０１６３】
第１および第２の支柱補強パネル６２２、６２４は、第１および第２の支柱パネル６１２、６２０のそれぞれ１つの下方部分と対向する関係になるように、折り線６２１、６２３を中心として折り畳まれる。
【０１６４】
第１の支柱パネル６１２の自由な側縁を第１のフレームパネル６１４の内面と接触させるために、第１のフレームパネル６１４は折り線６１５を中心として折り畳まれ、第１の支柱パネル６１２は折り線６１３を中心として折り畳まれる。
【０１６５】
第２の支柱パネル６２０の自由な側縁を第３のフレームパネル６１８の内面と接触させるために、第３のフレームパネル６１８は折り線６１７を中心として折り畳まれ、第２の支柱パネル６２０は折り線６１９を中心として折り畳まれる。
【０１６６】
このようにして、第１の支柱パネル６１２および第２の支柱パネル６２０は、第２のフレームパネルから第１および第３のフレームパネル６１４、６１８の遠位の側縁同士を引き離す。第１の支柱パネル６１２および第２の支柱パネル６２０は、フレーム６９０を管状構造に維持する留め具を形成する。
【０１６７】
第１の支柱パネル６１２および第２の支柱パネル６２０は、第１の支柱補強パネル６２２および第２の支柱補強パネル６２４と一緒に、図２の連結部材２００を受け入れるための受部Ｒを定めるかまたは提供する。
【０１６８】
フレーム６９０は三角形の断面形状を備えるが、他の実施形態では、断面形状は異なってもよいことは理解されるものである。これは、追加のフレームパネルを含むことを必要とする可能性がある。
【０１６９】
フレーム６９０は、図１４Ａにおいて方向矢印Ｄ１によって指示されているように、スリーブ５９０の開放端を通じてスリーブ５９０へと挿入され得るように構成されている。
【０１７０】
ここで図１６〜図２０を参照すると、本開示の第３の実施形態が示されている。第３の実施形態は第１の実施形態と多くの共通の特徴を共有しており、そのため、図１〜図１１に示された実施形態からの違いだけが詳細に記載される。
【０１７１】
図１６を参照すると、図１８および図２０に示されたような第３の図示された実施形態による支持部材またはフレーム７９０を形成するための代替の第１のブランクが示されている。図１６は、タップハンドルの一部を形成するために、図１８に示されている芯材または支持部材７９０を形成することができるブランク７１０を示している。図１９は、タップハンドルの一部を形成するために、図２０に部分的に示されているようなスリーブ８９０を形成することができるブランク８１０を示している。
【０１７２】
図１６を参照すると、直線的な連続体として１つのものが隣のものにヒンジ留めされた複数の主パネル７１２、７１４、７１６、７１８、７２０、７２２、７２４、７２６、７２８、７３４、７３６を備える第１のブランク７１０が示されている。ブランク７１０は、折り線７１３の形態でのヒンジ留め連結によって第１の内側パネル７１４にヒンジ留めされた第１の外側パネル７１２を備える。第１の内側パネル７１４は、折り線７１５の形態でのヒンジ留め連結によって第２の内側パネル７１６にヒンジ留めされている。第２の内側パネル７１６は、折り線７１７の形態でのヒンジ留め連結によって第３の内側パネル７１８にヒンジ留めされている。第３の内側パネル７１８は、折り線７１９の形態でのヒンジ留め連結によって第４の内側パネル７２０にヒンジ留めされている。第４の内側パネル７２０は、折り線７２１の形態でのヒンジ留め連結によって第５の内側パネル７２２にヒンジ留めされている。第５の内側パネル７２２は、折り線７２３の形態でのヒンジ留め連結によって第６の内側パネル７２４にヒンジ留めされている。第６の内側パネル７２４は、折り線７２５の形態でのヒンジ留め連結によって第７の内側パネル７２６にヒンジ留めされている。第７の内側パネル７２６は、折り線７２７の形態でのヒンジ留め連結によって第８の内側パネル７２８にヒンジ留めされている。第８の内側パネル７２８は、折り線７３３の形態でのヒンジ留め連結によって第９の内側パネル７３４にヒンジ留めされている。第９の内側パネル７３４は、折り線７３５の形態でのヒンジ留め連結によって第２の外側パネル７３６にヒンジ留めされている。
【０１７３】
符号「Ｃ１」〜「Ｃ１０」は、隣接するパネルのうちの１つの上端部分と下端部分とのそれぞれの一方を、他の隣接するパネルの上端部分と下端部分とのそれぞれの一方から分離するための任意選択の切断線を各々指示している。
【０１７４】
任意選択で、折り線７１５、７１７、７１９、７２１、７２３、７２５、７２７、７３３の各々は、第１の切り落とし部または開口Ａ３〜Ａ１０のそれぞれ１つによって分断され得る。
【０１７５】
任意選択で、折り線７１３、７３５の各々は、第２の切り落とし部または開口Ａ２、Ａ２のそれぞれ１つによって分断され得る。
【０１７６】
任意選択で、第１のブランク７１０は、第１の外側パネル７１２の第１の側縁に沿って第１の外側パネル７１２にヒンジ留めされたタブ７３０ａ、７３２ａの第１の対を備える。第１の側縁は、折り線７１３によって定められたヒンジ留め連結の反対側である。タブ７３０ａ、７３２ａの第１の対は、折り線７３１ａの形態でのヒンジ留め連結によって第２のタブ７３２ａにヒンジ留めされた第１のタブ７３０ａを備える。第２のタブ７３２ａは、折り線７１１の形態でのヒンジ留め連結によって第１の外側パネル７１２にヒンジ留めされている。
【０１７７】
任意選択で、第１のブランク７１０は、第２の外側パネル７３６の第１の側縁に沿って第２の外側パネル７３６にヒンジ留めされたタブ７３０ｂ、７３２ｂの第２の対を備える。第１の側縁は、折り線７３５によって定められたヒンジ留め連結の反対側である。タブ７３０ｂ、７３２ｂの第２の対は、折り線７３１ｂの形態でのヒンジ留め連結によって第４のタブ７３２ｂにヒンジ留めされた第３のタブ７３０ｂを備える。第４のタブ７３２ｂは、折り線７２９の形態でのヒンジ留め連結によって第２の外側パネル７３６にヒンジ留めされている。
【０１７８】
第１および第２の外側パネル７１２、７３６はスロットＲ６、Ｒ９を各々有し、一方、第２および第８の内側パネル７１６、７２８はスロットＲ７、Ｒ８を各々有する。それらのスロットＲ６〜Ｒ９は、ブランク７１０の長さの方向（つまり、「長手方向」）において互いと並べられる。スロットＲ６、Ｒ９はスロットＲ７、Ｒ８より長さが短い。
【０１７９】
第１および第９の内側パネル７１４、７３４は、少なくとも１つの係合タブを定めるための手段を、反転した「Ｔ字」形の切込みＣ１１、Ｃ１２の形態で各々有する。成形された切込みＣ１１、Ｃ１２は、第１および第９の内側パネル７１４、７３４のそれぞれ１つにおいて係合タブ７４０、７４２および７４４、７４６の対を各々定めている。成形された切込みＣ１１、Ｃ１２は、ブランク７１０の長手方向においてスロットＲ６〜Ｒ９と概して並べられる位置に各々形成される。
【０１８０】
第３、第４、第５、第６、および第７の内側パネル７１８、７２０、７２２、７２４、７２６は、Ｔ字形の凹部Ｒ１、Ｒ２、Ｒ３、Ｒ４、Ｒ５の形態での受け入れ手段を各々有する。凹部Ｒ１〜Ｒ５の各々は、それぞれの内側パネル７１８、７２０、７２２、７２４、７２６の第１の端または下端から、反対側の第２の端または上端に向けて延びている。すべてのそれらの凹部Ｒ１〜Ｒ５は、大きさおよび形が等しくてもよい。任意選択で、凹部Ｒ１、Ｒ５は、第２の凹部Ｒ２、第３の凹部Ｒ３、および第４の凹部Ｒ４より幅が狭くてもよい。
【０１８１】
第１および第２の外側パネル７１２、７３６と、第１、第２、第３、第４、第５、第６、第７、第８、および第９の内側パネル７１４、７１６、７１８、７２０、７２２、７２４、７２６、７２８、７３４とが重なり合う関係にある組み立てられた状態に第１のブランク７１０があるとき、凹部Ｒ１、Ｒ２、Ｒ３、Ｒ４、Ｒ５は、重なり合うパネル７１２、７３６、７１４、７１６、７１８、７２０、７２２、７２４、７２６、７２８、７３４の厚さの方向（つまり、「厚さ方向」）において互いと並べられるように互いと合致する。同様に、スロットＲ６、Ｒ７、Ｒ８、Ｒ９と切込みＣ１１、Ｃ１２とは、厚さ方向において互いと大まかな位置合わせにある。スロットＲ６〜Ｒ９と切込みＣ１１、Ｃ１２とは、長手方向において延びるＴ字形の凹部Ｒ１〜Ｒ５のそれぞれの部分と位置合わせされ得る。
【０１８２】
凹部Ｒ１、Ｒ２、Ｒ３、Ｒ４、Ｒ５と、スロットＲ６、Ｒ７、Ｒ８、Ｒ９と、切込みＣ１１、Ｃ１２とは、連結装置８００、８０２（図１７に示されている）を保持するために、支持部材７９０において受部または受入部を一緒に形成する。第３の実施形態で使用される連結装置８００、８０２は、第１の実施形態における連結部材２００と同一でなくとも同様であり得る連結部材８００と、係留部８０２とを備える。連結部材８００はネジ山付きナットとでき、一方、係留部８０２は、連結部材８００よりも直径または横方向の寸法が大きい、幅広のまたは膨出した部材であり得る。図１７に示された係留部８０２は、連結部材８００とネジ係合可能であるエレベーターボルト８０２の形態でのフランジ付きまたは頭部付きのネジである。組み合わされた凹部Ｒ１、Ｒ２、Ｒ３、Ｒ４、Ｒ５は、支持部材７９０の底部において、連結部材８００を受け入れるための開口部を定めるかまたは形成する効果を有し、一方、組み合わされたスロットＲ６〜Ｒ９および切込みＣ１１、Ｃ１２は、支持部材７９０の底部に、係留部８０２を受け入れるための手段を定める。切込みＣ１１、Ｃ１２は、具体的には、連結部材の位置を安定化させるための係合タブ７４０，７４２、７４４、７４６をパネル７１４、７３４に定める。連結装置８００、８０２が支持部材７９０に受け入れられるとき、それらの係合タブ７４０，７４２、７４４、７４６は、連結部材が支持部材７９０の受部内でブランク７１０の長さに対して垂直の方向（つまり、「鉛直方向」）に遊ぶかまたは移動するのを防止するために、係留部８０２を押さえ付ける。
【０１８３】
任意選択で、連結装置８００、８０２は、接着剤または他の接着処理によって支持部材７９０に固定されてもよい。
【０１８４】
任意選択で、連結装置８００、８０２は、係留部８０２が連結部材８００の一体部品として形成される一体品の構造のものであってもよい。このような一体品の装置は金属またはプラスチックから形成され得るが、材料がタップハンドルをタップ組立体に連結するのに適し、タップハンドルが動作している間に繰返しの応力に耐えることができる限り、任意の材料が連結装置を形成するために使用できる。
【０１８５】
第３の図示された実施形態の支持部材７９０は、正直角プリズム、長方形の立方体、または直方体としても知られている超直方体の形態を取っている。複数の主パネル７１２、７１４、７１６、７１８、７２０、７２２、７２４、７２６、７２８、７３４、７３６は各々、形が長方形である。対照的に、第１の図示された実施形態（図１）のブランク１０の複数の主パネル１２、１４、１６、１８、２０、２２、２４、２６、２８は各々、形が二等辺四辺形であり、そのため、第１の図示された実施形態の支持部材９０は、台形プリズムまたは切頂の長方形に基づく錐体の形態を取る。
【０１８６】
図１９は、図２０に一部が示されているスリーブ８９０を形成するための第２のブランク８１０を示している。ブランク８１０は、管状構造の壁を形成するための複数の主パネル８１２、８１４、８１６、８１８、８２０を備える。複数の主パネル８１２、８１４、８１６、８１８、８２０は、図示されているような直線的な連続体として１つのものが隣のものにヒンジ留めされ得る。第１の側方パネル８１２は、折り線８１３の形態でのヒンジ留め連結によって第１の端パネル８１４にヒンジ留めされている。第１の端パネル８１４は、折り線８１５の形態でのヒンジ留め連結によって第２の側方パネル８１６にヒンジ留めされている。第２の側方パネル８１６は、折り線８１７の形態でのヒンジ留め連結によって第２の端パネル８１８にヒンジ留めされている。第２の端パネル８１８は、折り線８１９によって固定パネル８２０にヒンジ留めされている。
【０１８７】
任意選択で、第１の側方パネル８１２および第２の側方パネル８１６は各々長方形である。同様に、および、任意選択で、固定パネル８２０は長方形であってもよい。任意選択で、第１の端パネル８１４および第２の端パネル８１８は各々長方形である。ブランク８１０の主パネル８１２、８１４、８１６、８１８、８２０は、組み立て状態において、開放した端の管状構造を形成する。
【０１８８】
管状構造の第１の上端が、端閉鎖フラップによって少なくとも部分的に閉じられる。図示されている実施形態では、管状構造の第１の端は、上端閉鎖フラップ８２４、８２６、８２８、８３０によって完全に閉じられる。
【０１８９】
第１の上端閉鎖フラップ８２４は、折り線８２３の形態でのヒンジ留め連結によって第１の端パネル８１４の第１の端にヒンジ留めされている。第２の上端閉鎖パネル８２６は、折り線８２５の形態でのヒンジ留め連結によって第２の側方パネル８１６の第１の端にヒンジ留めされている。第３の上端閉鎖フラップ８３０は、折り線８２９の形態でのヒンジ留め連結によって第２の端パネル８１８の第１の端にヒンジ留めされている。固定または押込みのフラップ８２８は、折り線８２７の形態でのヒンジ留め連結によって第２の上端閉鎖パネル８２６の端縁にヒンジ留めされている。押込みフラップ８２８の端縁はヒンジ留め連結８２５の反対側にある。
【０１９０】
管状構造の第２の下端が、端閉鎖フラップによって少なくとも部分的に閉じられる。図示されている実施形態では、管状構造の第２の端は、下端閉鎖フラップ８３２、８３４、８３６、８３８によって部分的に閉じられる。
【０１９１】
第１の下端閉鎖フラップ８３２は、折り線８３１の形態でのヒンジ留め連結によって第１の端パネル８１４の第２の端にヒンジ留めされている。第２の下端閉鎖パネル８３４は、折り線８３３の形態でのヒンジ留め連結によって第２の側方パネル８１６の第２の端にヒンジ留めされている。第３の下端閉鎖フラップ８３８は、折り線８３５の形態でのヒンジ留め連結によって第２の端パネル８１８の第２の端にヒンジ留めされている。固定または押込みのフラップ８３６は、折り線８３７の形態でのヒンジ留め連結によって第２の下端閉鎖パネル８３４の端縁にヒンジ留めされている。押込みフラップ８３６の端縁はヒンジ留め連結８３３の反対側にある。第２の下端閉鎖パネル８３４は、中央に位置付けられたアクセス開口８４０を有する。アクセス開口８４０は、タップ組立体３００のネジ山付き上方部分３１０（図６および図７参照）が連結装置８００、８０２にネジ連結され得るように、上方部分３１０を支持部材７９０における連結部材８００にアクセスさせることができる。
【０１９２】
図１７および図１８に示されている支持部材７９０の構造を見ると、支持部材７９０は、その構造を完全にするために回転または反転される必要がないように、一連の連続した折り畳み動作によって形成され得る。折り畳みの過程は、後に記載されるものに限定されず、具体的な製造の要件に従って変更されてもよい。
【０１９３】
複数の主パネル７１２、７１４、７１６、７１８、７２０、７２２、７２４、７２６、７２８、７３４、７３６は、ジグザグの折り畳み、蛇腹状の折り畳み、またはｚ字の折り畳みとしても知られるコンチェルティーナ状の折り畳みを形成するために折り畳まれる。主パネル７１２、７１４、７１６、７１８、７２０、７２２、７２４、７２６、７２８、７３４、７３６は、前から後ろへとジグザグの折り畳みを作るために、それらの折り線７１３、７１５、７１７、７１９、７２１、７２３、７２５、７２７、７３３、７３５を中心としてアコーディオン状に連続的に交互に折り畳まれる。複数の主パネル７１２、７１４、７１６、７１８、７２０、７２２、７２４、７２６、７２８、７３４、７３６は、第１の外側パネル７１２が支持部材７９０の第１の側壁を形成するように折り畳まれる。ブランク７１０は、第１の表面と第２の反対側の表面とを備える。第１の外側パネル７１２の第１の表面は支持部材７９０の第１の外面を提供する。第２の外側パネル７３６は支持部材７９０の第２の側壁を形成する。第２の外側パネル７３６の第２の表面は支持部材７９０の第２の反対側の外面を提供する。第１の外側パネル７１２の第２の表面は、第１の内側パネル７１４の第２の表面と対向する関係で配置される。第２の外側パネル７３６の第１の表面は、第９の内側パネル７３４の第１の表面と対向する関係で配置される。
【０１９４】
先に記載された折り畳み過程の間、任意選択で、内側パネル７２２を内側パネル７２４と対向する接触関係にするステップの前に、連結装置８００、８０２は、係留部８０２が連結部材８００にあらかじめ連結されている図１７に最もよく図示されるように、支持部材７９０の底部または下端の部分的または半分に形成された受部に配置される。連結装置８００、８０２を所定位置に配置した後、パネル７２２、７２０、７１８、７１６、７１４、７１２を含む支持部材７９０の他の部分が連結部材８００の上に折り畳まれる。
【０１９５】
支持部材７９０の主パネル７１２、７１４、７１６、７１８、７２０、７２２、７２４、７２６、７２８、７３４、７３６すべてがアコーディオン状に適切に折り畳まれるとき、主パネル７１２、７１４、７１６、７１８、７２０、７２２、７２４、７２６、７２８、７３４、７３６の各々の反対側の縁は、支持部材７９０の反対側の端壁を定めるかまたは形成する。第１の開口Ａ３〜Ａ１０は、支持部材７９０の反対側の端壁の各々にタブ凹部を形成する。第２の開口Ａ２、Ａ２は、第１の外側パネル７１２および第２の外側パネル７３６の各々にさらなるタブ凹部を形成する。次に、タブ７３０ａ、７３２ａの第１の対が、主パネル７１２、７１４、７１６、７１８、７２０、７２２、７２４、７２６、７２８、７３４、７３６の周りに折り畳まれる。近位のタブ７３２ａは、第１の開口Ａ３、Ａ５、Ａ７、Ａ９と、第２の外側パネル７３６における第２の開口Ａ２とによって定められたタブ凹部のうちの第１のものに受け入れられるように折り畳まれる。遠位のタブ７３０ａは、遠位のタブ７３０ａが第９の内側パネル７３４の第１の表面に接着または固定される第２の外側パネル７３６における第２の開口Ａ２に遠位のタブ７３０ａが受け入れられるように、近位のタブ７３２ａに対して折り畳まれる。タブ７３０ｂ、７３２ｂの第２の対は、主パネル７１２、７１４、７１６、７１８、７２０、７２２、７２４、７２６、７２８、７３４、７３６の周りに折り畳まれる。近位のタブ７３２ｂは、第１の開口Ａ４、Ａ６、Ａ８、Ａ１０と、第１の外側パネル７１２における第２の開口Ａ２とによって定められたタブ凹部のうちの第２のものに受け入れられるように折り畳まれる。タブ凹部のうちの第２のものは、主パネル７１２、７１４、７１６、７１８、７２０、７２２、７２４、７２６、７２８、７３４、７３６の、タブ凹部のうちの第１のものと反対の側に配置される。遠位のタブ７３０ｂは、遠位のタブ７３０ｂが第１の内側パネル７１４の第２の表面に接着または固定される第１の外側パネル７１２における第２の開口Ａ２に遠位のタブ７３０ｂが受け入れられるように、近位のタブ７３２ｂに対して折り畳まれる。これにより支持部材７９０についての折り畳み過程は完了となり、その完全に組み立てられた形態における支持部材７９０が図１８に示されている。
【０１９６】
図２０に示されているスリーブ８９０の構造を見ると、スリーブ８９０は、その構造を完全にするために回転または反転される必要がないように、直線機械における一連の連続した折り畳み動作によって形成され得る。折り畳みの過程は、後に記載されるものに限定されず、具体的な製造の要件に従って変更されてもよい。
【０１９７】
ブランク８１０は、側方パネル８１２が端パネル８１４の内側面および側方パネル８１６の内側面と面接触の関係とされるように、折り線８１３を中心として折り畳まれる。固定パネル８２０および端パネル８１８は、固定パネル８２０が側方パネル８１２の外側面と面接触の関係とされるように、折り線８１７を中心として折り畳まれ、固定パネル８２０は側方パネル８１２に接着または固定される。このようにして、平坦な押し潰れた管状構造またはスリーブ８９０が形成される。スリーブ８９０は、この平坦な押し潰れた形態で出荷または流通させられ得る。平坦な押し潰れたスリーブ８９０は、第１の側方パネル８１２と第２の側方パネル８１６とを離間した並列の関係で位置決めさせるために第１の側方パネル８１２と第２の側方パネル８１６とを分離することで、管状構造へと直立させられ得る。
【０１９８】
直立させられたスリーブ８９０は、端が開放した管状の形態において、スリーブ８９０のいずれかの端を通じて、完全に組み立てられた支持部材７９０が装着され得る。スリーブ８９０に支持部材７９０が装着されると、スリーブ８９０の両方の端は、それぞれの端閉鎖フラップ８２４、８２６、８２８、８３０、８３２、８３４、８３６、８３８を用いて閉じられ、したがって、支持部材７９０からのスリーブ８９０の分離を防止または抑制する。下端閉鎖フラップ８３２、８３４、８３６、８３８が閉じられるとき、連結部材８００の外側端は、連結部材８００が図６および図７に示されているようなタップ組立体３００の上方部分３１０に連結可能となるようにアクセス開口８４０を通じて露出される。
【０１９９】
第３の実施形態のタップハンドルでは、「Ｔ字」構成の受部の内側面において動けなくなる係留部８０２のため、連結部材８００は支持部材７９０の受部から滑り出すのが防止される。この理由のため、連結装置８００、８０２は任意選択で、支持組立体７９０へと接着されることなく受部に受け入れられ得る。
【０２００】
ここで図２１〜図２９を参照すると、本開示の第４の実施形態が示されている。第４の実施形態は前述の実施形態と多くの共通の特徴を共有しており、そのため、図１〜図２０に示された実施形態からの違いだけが詳細に記載される。
【０２０１】
図２１を参照すると、図２３に示されたような第４の図示された実施形態による支持部材またはフレーム９９０を形成するための代替の第１のブランク９１０が示されている。図２１は、タップハンドル１４９０（図２９参照）の一部を形成するために、図２３に示されている芯材または支持部材９９０を形成することができるブランク９１０を示している。図２４は、タップハンドルの一部を形成するために、図２７に示されているようなスリーブ１０９０を形成することができるブランク１０１０を示している。
【０２０２】
図２１を参照すると、直線的な連続体として１つのものが隣のものにヒンジ留めされた複数の主パネル９１２、９１４、９１６、９１８、９２０、９２２、９２４、９２６、９２８、９３４、９３６、９３８を備える第１のブランク９１０が示されている。ブランク９１０は、折り線９１３の形態でのヒンジ留め連結によって第２のパネル９１４にヒンジ留めされた第１のパネル９１２を備える。第２のパネル９１４は、折り線９１５の形態でのヒンジ留め連結によって第３のパネル９１６にヒンジ留めされている。第３のパネル９１６は、折り線９１７の形態でのヒンジ留め連結によって第４のパネル９１８にヒンジ留めされている。第４のパネル９１８は、折り線９１９の形態でのヒンジ留め連結によって第５のパネル９２０にヒンジ留めされている。第５のパネル９２０は、折り線９２１の形態でのヒンジ留め連結によって第６のパネル９２２にヒンジ留めされている。第６のパネル９２２は、折り線９２３の形態でのヒンジ留め連結によって第７のパネル９２４にヒンジ留めされている。第７のパネル９２４は、折り線９２５の形態でのヒンジ留め連結によって第８のパネル９２６にヒンジ留めされている。第８のパネル９２６は、折り線９２７の形態でのヒンジ留め連結によって第９のパネル９２８にヒンジ留めされている。第９のパネル９２８は、折り線９３３の形態でのヒンジ留め連結によって第１０のパネル９３４にヒンジ留めされている。第１０のパネル９３４は、折り線９３５の形態でのヒンジ留め連結によって第１１のパネル９３６にヒンジ留めされている。第１１のパネル９３６は、折り線９３７の形態でのヒンジ留め連結によって第１２のパネル９３８にヒンジ留めされている。
【０２０３】
任意選択で、折り線９１５、９１７、９１９、９２１、９２３、９２５、９２７、９３３、９３５、９３７の各々は、限定されることはないが、それらの一端または両端にあるスリットまたはスロットなどの切り落とし部によって分断されてもよい。
【０２０４】
第１、第２、および第３のパネル９１２、９１４、９１６は、それぞれスロットＲ１、Ｒ２、Ｒ３の形態で切り落とし部を各々備える。それらのスロットＲ１、Ｒ２、Ｒ３は、ブランク９１０の長さの方向（つまり、「長手方向」）において互いと並べられる。
【０２０５】
第４、第５、および第６のパネル９１８、９２０、９２２は、少なくとも１つの係合タブを定めるための手段を、反転した「Ｔ字」形の切込みＣ１、Ｃ２、Ｃ３の形態で各々備える。成形された切込みＣ１、Ｃ２、Ｃ３の各々は、第４、第５、および第６のパネル９１８、９２０、９２２のそれぞれ１つにおいて、係合タブ９４０、９４２と、９４４、９４６と、９４８、９５０との対を定めている。成形された切込みＣ１、Ｃ２、Ｃ３の各々は、ブランク９１０の長手方向においてスロットＲ１、Ｒ２、Ｒ３と概して並べられる位置に形成される。
【０２０６】
第１のブランク９１０が組み立てられた状態にあるとき、複数の主パネル９１２、９１４、９１６、９１８、９２０、９２２、９２４、９２６、９２８、９３４、９３６、９３８は、互いの周りに巻かれて、三角形の螺旋を形成する。第１のパネル９１２が最も内側に配置され、第１２のパネル９３８が最も外側に配置される。
【０２０７】
複数の主パネル９１２、９１４、９１６、９１８、９２０、９２２、９２４、９２６、９２８、９３４、９３６、９３８は、図２２Ｄに示された連結装置９０３の周りに巻かれる。第４の実施形態と使用される連結装置９０３は、図２２Ａを見ると、第１の実施形態における連結部材２００と同一でなくとも同様であり得る連結部材９００と、第３の実施形態の係留部８０２と同一でなくとも同様であり得る係留部９０２とを備える。
【０２０８】
スロットＲ１、Ｒ２、Ｒ３は、係留部９０２の一部分を各々受け入れる。
【０２０９】
図２２Ｂに示されている係留部９０２は、第１の端にフランジまたは突出部Ｆを任意選択で備える。係留部９０２は、フランジから延びるシャフトＳＨを備える。シャフトＳＨは外部のネジ山ＴＨ２を備える。任意選択で、係留部９０２はネジ駆動部ＳＤを備え、図示されている実施形態は、外部が正方形のネジ駆動部を備え、他の実施形態では、限定されることはないが、六角形、五角形、トルクス、ポジドライブ、フィリップス、スロットなど、他の適切な外部または内部のネジ駆動部が用いられてもよい。ネジ駆動部ＳＤは、連結部材９００への係留部９０２の締め付けを容易にする。係留部９０２のシャフトＳＨは連結部材９００における開口部または孔に受け入れられ、内部のネジ山ＴＨ１を有する連結部材９００の孔は、シャフトＳＨの外部のネジ山ＴＨ２と合わさるように適合されている。係留部９０２と連結部材９００とは互いと永久的または半永久的に固定され得る。例えば、限定されることはないが、係留部９０２は、ネジ山を固定する流体の塗布によって連結部材９００に固定されてもよく、代替で、連結部材９００は係止ナットの形態を取ってもよい。例えば、限定されることはないが、連結部材９００は、任意選択でその一端に、係留部９０２のネジ山に摩擦を加えるためにナイロンまたは他の適切なプラスチック挿入体を備えてもよい。他の実施形態では、係留部９０２は連結部材９００と一体であってもよく、つまり、連結部材９００は、フランジ、または、径方向に延びる突出部または回り止めを備えてもよい。図２２Ｃは、部分的に組み立てられた状態での連結装置９０３を示しており、連結部材９００は、係留部９０２を連結部材９００に結合するために、方向矢印Ｄ１によって指示されているように、係留部９０２に対して回転させられる。
【０２１０】
連結部材９００はネジ山付きナットとでき、一方、係留部９０２は、連結部材９００より横方向の寸法または直径において大きい幅広または膨出した部材であり得る。図２２Ｂに示された係留部９０２は、連結部材９００とネジ係合可能であるエレベーターボルト９０２の形態でのフランジ付きまたは頭部付きのネジである。
【０２１１】
スロットＲ１、Ｒ２、Ｒ３と、切込みＣ１、Ｃ２、Ｃ３とは、連結装置９０３（図２２Ｄに示されている）を保持するために、支持部材９９０において受部または受入部を一緒に形成する。
【０２１２】
スロットＲ１、Ｒ２、Ｒ３は、第１、第２、および第３のパネル９１２、９１４、９１６が連結装置９０３の周りに巻かれるとき、係留部９０２のフランジの一部分を各々受け入れる。第１、第２、および第３のパネル９１２、９１４、９１６は、実質的に三角形の断面形状を有する管状構造を形成する。第１、第２、および第３のパネル９１２、９１４、９１６の各々の内面は、連結部材９００の外面と面接触する関係にされてもよく、これは図２３に最もよく示されている。これにより、支持部材９９０に対する連結装置９０３の回転を防止または抑制できる。
【０２１３】
第４、第５、および第６のパネル９１８、９２０、９２２は、第４のパネル９１８の内面が第１のパネル９１２の外面と接触させられるように、螺旋状に第１、第２、および第３のパネル９１２、９１４、９１６の周りに折り畳まれる。第５のパネル９２０の内面は第２のパネル９１４の外面と接触させられる。第６のパネル９２２の内面は第３のパネル９１６の外面と接触させられる。
【０２１４】
第４、第５、および第６のパネル９１８、９２０、９２２の切込みＣ１、Ｃ２、Ｃ３は、第１、第２、および第３のパネル９１２、９１４、９１６の周りに折り畳まれるとき、スロットＲ１、Ｒ２、Ｒ３のそれぞれ１つと合致させられ、組み合わせにおいて、係留部９０２を受け入れるための手段を定めるかまたは形成する効果を有する。切込みＣ１、Ｃ２、Ｃ３は、具体的には、連結装置９０３の位置を安定化させるために、係合タブ９４０、９４２、９４４、９４６、９４８、９５０をパネル９１８、９２０、９２２において定めている。連結装置９０３が支持部材９９０内に配置されるとき、それらの係合タブ９４０、９４２、９４４、９４６、９４８、９５０は、連結部材９００が支持部材９９０の受部内でブランク９１０の長さに対して垂直の方向（つまり、「鉛直方向」）において遊ぶかまたは移動するのを防止するために、係留部９０２を押さえ付ける。
【０２１５】
任意選択で、連結装置９００および／または係留部９０２は、接着剤または他の接着処理によって支持部材９９０に固定されてもよい。
【０２１６】
第７、第８、および第９のパネル９２４、９２６、９２８は、第７のパネル９２４の内面が第４のパネル９１８の外面と接触させられるように、螺旋状に第４、第５、および第６のパネル９１８、９２０、９２２の周りに折り畳まれる。第８のパネル９２６の内面は第５のパネル９２０の外面と接触させられる。第９のパネル９２８の内面は第６のパネル９２２の外面と接触させられる。
【０２１７】
第１０、第１１、および第１２のパネル９３４、９３６、９３８は、第１０のパネル９３４の内面が第７のパネル９２４の外面と接触させられるように、螺旋状に第７、第８、および第９のパネル９２４、９２６、９２８の周りに折り畳まれる。第１１のパネル９３６の内面は第８のパネル９２６の外面と接触させられる。第１２のパネル９３８の内面は第９のパネル９２８の外面と接触させられる。第１２のパネル９３８は、例えば、限定されることはないが、接着剤、もしくは、ステープルなどの機械的な固定手段によって、または、係止タブおよび受入部を含む相補的な係止手段によって、第９のパネル９２８に固定され得る。
【０２１８】
第１０、第１１、および第１２のパネル９３４、９３６、９３８は、図２３に示された支持部材９９０の最も外側のパネルを形成する。
【０２１９】
連結部材９００は、複数の外面を備え、図示されている実施形態では６つの面を備え、六角形の断面形状を備える。複数の主パネル９１２、９１４、９１６、９１８、９２０、９２２、９２４、９２６、９２８、９３４、９３６、９３８は、連結部材９００の周りに巻かれ、最も内側のパネル９１２、９１４、９１６は、連結部材９００の複数の外面のうちの交互のものと面接触の関係で配置される。
【０２２０】
複数の主パネル９１２、９１４、９１６、９１８、９２０、９２２、９２４、９２６、９２８、９３４、９３６、９３８は管状構造を定める。管状構造は複数の壁を備え、図示されている実施形態では、管状構造は３つの壁を備える。他の実施形態では、代替の数の壁が提供されてもよく、例えば、限定されることはないが、４つ、５つ、または６つの壁が提供されてもよく、このような実施形態では、連結部材９００は、管状構造の壁の数と等しくても等しくなくてもよい代替の数の外面および／または断面形状を有してもよい。管状構造の複数の壁の各々は、複数の層または積層を備える。図示されている実施形態では、管状構造の各々の層は４つの層を備える。
【０２２１】
図２４を参照すると、図２７に示されたような第４の図示された実施形態によるスリーブ１０９０を形成するためのさらなる代替の第２のブランク１０１０が示されている。ブランク１０１０は、外部管状構造の壁を形成するための複数の主パネル１０１２、１０１４、１０１６、１０１８、１０２０を備える。複数の主パネル１０１２、１０１４、１０１６、１０１８、１０２０は、図示されているような直線的な連続体として１つのものが隣のものにヒンジ留めされ得る。ブランク１０１０は、折り線１０１３の形態でのヒンジ留め連結によって第２の壁パネル１０１４にヒンジ留めされた第１の壁パネル１０１２を備える。第２の壁パネル１０１４は、折り線１０１５の形態でのヒンジ留め連結によって第３の壁パネル１０１６にヒンジ留めされている。第３の壁パネル１０１６は、折り線１０１７の形態でのヒンジ留め連結によって第４の壁パネル１０１８にヒンジ留めされている。
【０２２２】
第１の壁パネル１０１２は管状構造の第１の側壁を形成する。第２の壁パネル１０１４は管状構造の第２の側壁を形成する。第３の壁パネル１０１６および第４の壁パネル１０１８は管状構造の第３の側壁を一緒に形成する。
【０２２３】
固定パネル１０２０は、折り線１０１９の形態でのヒンジ留め連結によって第４の壁パネル１０１８にヒンジ留めされている。
【０２２４】
ブランク１０１０の複数の主パネル１０１２、１０１４、１０１６、１０１８、１０２０は、固定パネル１０２０を第１の壁パネル１０１２に固定することによって所定位置で固定される組み立て状態において、端が開放した管状構造を形成する。
【０２２５】
管状構造の第１の上端が、端閉鎖パネルを備える端閉鎖構造によって少なくとも部分的に閉じられる。図示されている実施形態では、管状構造の第１の端は、第１の端閉鎖パネル１０２２によって完全に閉じられる。
【０２２６】
第１の端閉鎖パネル１０２２は、第１の縁に沿って、折り線１０２１ｃの形態でのヒンジ留め連結によって第１の側壁パネル１０１２の第１の端にヒンジ留めされている。第１の端閉鎖パネル１０２２は実質的に形が三角形である。
【０２２７】
第１の固定または押込みのフラップ１０２２ａが、折り線１０２１ａの形態でのヒンジ留め連結によって第１の端閉鎖パネル１０２２の第２の縁にヒンジ留めされている。第２の固定または押込みのフラップ１０２２ｂが、折り線１０２１ｂの形態でのヒンジ留め連結によって第１の端閉鎖パネル１０２２の第３の縁にヒンジ留めされている。
【０２２８】
第１の端閉鎖パネル１０２２は第１の固定フラップ受入部Ｓ１を備える。第１の固定フラップ受入部Ｓ１は、第２の固定フラップＴ２を受け入れるように構成されている。第１の端閉鎖パネル１０２２は第２の固定フラップ受入部Ｓ２を備える。第２の固定フラップ受入部Ｓ２は、第１の固定フラップＴ１を受け入れるように構成されている。図示されている実施形態では、第１の固定フラップ受入部Ｓ１および第２の固定フラップ受入部Ｓ２はスリットまたは切断線の形態を取っている。スリットは、第１の固定フラップＴ１および第２の固定フラップＴ２のそれぞれ１つを受け入れる寸法とされている。スリットは折り線１０２１ａ、１０２１ｂの各々を分断してもよい。
【０２２９】
第１の固定フラップＴ１は、第２の側壁パネル１０１４の第１の端から延びる第１の部分１０３０ａを備える。第１の固定フラップＴ１は、第２の側壁パネル１０１４から打ち出される第２の部分１０３０ｂを備える。第２の部分１０３０ｂは、折り線１０３１ｂの形態でのヒンジ留め連結によって第２の側壁パネル１０１４にヒンジ留めされている。第２の部分１０３０ｂは、折り線１０３１ａの形態でのヒンジ留め連結によって第１の部分１０３０ａにヒンジ留めされている。
【０２３０】
第２の固定フラップＴ２は、第３および第４の側壁パネル１０１６、１０１８の第１の端から延びる第１の部分１０３２ａを備える。第２の固定フラップＴ２は、第３および第４の側壁パネル１０１６、１０１８の各々から一部において打ち抜かれる第２の部分１０３２ｂを備える。第２の部分１０３２ｂは、折り線１０３３ｂの形態でのヒンジ留め連結によって第３および第４の側壁パネル１０１６、１０１８の各々にヒンジ留めされている。第２の部分１０３２ｂは、折り線１０３３ａの形態でのヒンジ留め連結によって第１の部分１０３２ａにヒンジ留めされている。
【０２３１】
折り線１０１７は、第２の固定フラップＴ２の第１および第２の部分１０３２ａ、１０３２ｂの両方を横切って延びる。
【０２３２】
管状構造の第２の下端が、端閉鎖パネルを備える端閉鎖構造によって少なくとも部分的に閉じられる。図示されている実施形態では、管状構造の第２の端は、第２の端閉鎖パネル１０２４によって完全に閉じられる。
【０２３３】
第２の端閉鎖パネル１０２４は、第１の縁に沿って、折り線１０２５ｃの形態でのヒンジ留め連結によって第１の側壁パネル１０１２の第２の端にヒンジ留めされている。第２の端閉鎖パネル１０２４は実質的に形が三角形である。第２の端閉鎖パネル１０２４は、タップステム３３０のネジ部分３１０を受け入れるための開口Ａ１３を備える。
【０２３４】
第３の固定または押込みのフラップ１０２６ａが、折り線１０２５ａの形態でのヒンジ留め連結によって第２の端閉鎖パネル１０２４の第２の縁にヒンジ留めされている。第４の固定または押込みのフラップ１０２６ｂが、折り線１０２５ｂの形態でのヒンジ留め連結によって第２の端閉鎖パネル１０２４の第３の縁にヒンジ留めされている。
【０２３５】
第２の端閉鎖パネル１０２４は第３の固定フラップ受入部Ｓ３を備える。第３の固定フラップ受入部Ｓ３は、第４の固定フラップＴ４を受け入れるように構成されている。第２の端閉鎖パネル１０２４は第４の固定フラップ受入部Ｓ４を備える。第４の固定フラップ受入部Ｓ４は、第３の固定フラップＴ３を受け入れるように構成されている。図示されている実施形態では、第３の固定フラップ受入部Ｓ３および第４の固定フラップ受入部Ｓ４はスリットまたは切断線の形態を取っている。スリットは、第３の固定フラップＴ３および第４の固定フラップＴ４のそれぞれ１つを受け入れる寸法とされている。スリットは折り線１０２５ａ、１０２５ｂの各々を分断してもよい。
【０２３６】
第３の固定フラップＴ３は、第２の側壁パネル１０１４の第２の端から延びる第１の部分１０３４ａを備える。第３の固定フラップＴ３は、第２の側壁パネル１０１４から打ち出される第２の部分１０３４ｂを備える。第２の部分１０３４ｂは、折り線１０３５ｂの形態でのヒンジ留め連結によって第２の側壁パネル１０１４にヒンジ留めされている。第２の部分１０３４ｂは、折り線１０３５ａの形態でのヒンジ留め連結によって第１の部分１０３４ａにヒンジ留めされている。第１の部分１０３４ａは、折り線１０３５ａによって定められるヒンジ留めされた縁と反対側の成形または輪郭形成された自由縁を備えることができ、自由縁は、開口Ａ１３を補完するように成形され、それによって開口Ａ１３を塞ぐのを回避できる。
【０２３７】
第４の固定フラップＴ４は、第３および第４の側壁パネル１０１６、１０１８の第２の端から延びる第１の部分１０３６ａを備える。第４の固定フラップＴ４は、第３および第４の側壁パネル１０１６、１０１８の各々から一部において打ち抜かれる第２の部分１０３６ｂを備える。第２の部分１０３６ｂは、折り線１０３７ｂの形態でのヒンジ留め連結によって第３および第４の側壁パネル１０１６、１０１８の各々にヒンジ留めされている。第２の部分１０３６ｂは、折り線１０３７ａの形態でのヒンジ留め連結によって第１の部分１０３６ａにヒンジ留めされている。第１の部分１０３６ａは、折り線１０３７ａによって定められるヒンジ留めされた縁と反対側の成形または輪郭形成された自由縁を備えることができ、自由縁は、開口Ａ１３を補完するように成形され、それによって開口Ａ１３を塞ぐのを回避できる。
【０２３８】
折り線１０１７は、第４の固定フラップＴ４の第１および第２の部分１０３６ａ、１０３６ｂの両方を横切って延びる。
【０２３９】
図２５〜図２７に示されているスリーブ１０９０の構造を見ると、スリーブ１０９０は、その構造を完全にするために回転または反転される必要がないように、直線機械における一連の連続した折り畳み動作によって形成され得る。折り畳みの過程は、後に記載されるものに限定されず、具体的な製造の要件に従って変更されてもよい。
【０２４０】
第４の側壁パネル１０１８および固定パネル１０２０は、図２５において方向矢印Ｄ３によって指示されているように、第３の側壁パネル１０１６に対して折り線１０１７を中心として折り畳まれる。第２および第４の固定フラップＴ２、Ｔ４は折り線１０１７を中心として折り畳まれる。
【０２４１】
接着剤Ｇまたは他の接着処理は、固定パネル１０２０に適用されるか、または、代替の実施形態では、第１の側壁パネル１０１２の対応する部分に適用される。
【０２４２】
第１の側壁パネル１０１２は、図２６において方向矢印Ｄ４によって指示されているように、第２の側壁パネル１０１４に対して折り線１０１３を中心として折り畳まれる。第１の側壁パネル１０１２は、第２の側壁パネル１０１４と覆う関係にされ、固定パネル１０２０と対向する接触関係にされる。第１の側壁パネル１０１２は固定パネル１０２０に固定される。このようにして、平坦な押し潰れた構造が形成される。
【０２４３】
平坦な押し潰れた構造は、三角形の断面形状を有する管状構造へと直立させられ得る。
【０２４４】
管状構造の第１の端は、折り線１０２１ａ、１０２１ｂを中心として第１および第２の押込みフラップ１０２２ａ、１０２２ｂを折り畳み、次に、第１の端閉鎖パネル１０２２を折り線１０２１ｃを中心として折り畳むことで閉じられる。
【０２４５】
第１の固定フラップＴ１は、第１の部分１０３０ａが第２の固定フラップ受入部Ｓ２のスロットによって定められた開口へと挿入できるように、折り線１０３１ａ、１０３１ｂを中心として折り畳まれる。
【０２４６】
第２の固定フラップＴ２は、第１の部分１０３２ａが第１の固定フラップ受入部Ｓ１のスロットによって定められた開口へと挿入できるように、折り線１０３３ａ、１０３３ｂを中心として折り畳まれる。
【０２４７】
このようにして、第１および第２の固定フラップＴ１、Ｔ２は、第１の端閉鎖パネル１０２２を、図２７に示されているような閉状態に保持する。
【０２４８】
図２３に示されているような連結装置９０３を含む支持部材９９０は、図２８に示されているようなスリーブ１０９０の第２の開放した端を通じて挿入される。連結装置９０３は、スリーブ１０９０の第２の端に隣接して配置されるように構成されている。
【０２４９】
スリーブ１０９０の第２の端は、折り線１０２５ａ、１０２５ｂを中心として第３および第４の押込みフラップ１０２６ａ、１０２６ｂを折り畳み、次に、第２の端閉鎖パネル１０２４を、折り線１０２５ｃを中心として折り畳むことで閉じられる。
【０２５０】
第３の固定フラップＴ３は、第１の部分１０３４ａが第４の固定フラップ受入部Ｓ４のスロットによって定められた開口へと挿入できるように、折り線１０３５ａ、１０３５ｂを中心として折り畳まれる。
【０２５１】
第４の固定フラップＴ４は、第１の部分１０３６ａが第３の固定フラップ受入部Ｓ３のスロットによって定められた開口へと挿入できるように、折り線１０３７ａ、１０３７ｂを中心として折り畳まれる。
【０２５２】
このようにして、第３および第４の固定フラップＴ３、Ｔ４は、第２の端閉鎖パネル１０２４を閉状態に保持する。
【０２５３】
組み立てられたタップハンドル１４９０が図２９に示されており、連結部材９００は開口Ａ１３を通じてアクセス可能であり、タップステム３３０は開口Ａ１３を通過することができる。タップハンドル１４９０は、図６および図７に示されたタップ組立体３００に装着され得る。
【０２５４】
係留部９０２は、互いに対して滑ることで連結部材９００が芯材または支持部材９９０から分離されるのを防止または抑制する。第１、第２、および第３のパネル９１２、９１４、９１６の内面は、連結部材９００に対する芯材または支持部材９９０の回転を防止または抑制するために、連結部材９００の表面と係合する。
【０２５５】
さらなる代替の実施形態では、係留部９０４は、係留部９０４に対する芯材または支持部材９９０の回転を防止または抑制するように成形され得る。図２２Ｅは、このような係留部９０４の実施形態を示している。係留部９０４の頭部または突出部は、形が非円形である。
【０２５６】
図示されている実施形態では、係留部９０４の頭部または突出部は、芯材または支持部材９９０の断面形状と相補的となるように成形されている。図示されている実施形態では、係留部９０４の頭部は、図２３の支持部材９９０内で装着可能となるように形が実質的に三角形である。
【０２５７】
係留部９０４の頭部は、そこから外向きに延びる１つまたは複数の突起Ｌを備え得る。
【０２５８】
突起Ｌは、支持部材９９０のパネルに設けられたスロットまたは切込みに受け入れられ得る。
【０２５９】
他の実施形態では、突起Ｌは、支持部材９９０のパネルのうちの１つの一部分を受け入れるように構成され得る切欠きまたは凹部で置き換えられ得る。
【０２６０】
タップハンドル１４９０は、支持部材９９０に対する連結部材９００の移動を防止または抑制するための回り止めを備え得る。
【０２６１】
様々な変更が本発明の範囲内で行われ得ることは理解できる。例えば、パネルおよび開口の大きさおよび形は、異なる大きさまたは形の支持部材を受け入れるために調節されてもよい。
【０２６２】
一部の実施形態では、支持部材９０、７９０、９９０は、スリーブ構成要素のないタップハンドルとして各々用いられてもよい。
【０２６３】
前述の実施形態では、支持部材９０、６９０、７９０、９９０は、多層構造または積層構造に折り畳まれた段ボールのシートから形成されてもよい。
【０２６４】
一部の実施形態では、支持部材９０、７１０は、多層構造を形成するために、対向する関係で配置される複数の別々の構成要素パネルによって各々提供されてもよい。
【０２６５】
パネル同士を積層状に一緒に固定するために接着剤が多層構造に用いられてもよい。
【０２６６】
代替の実施形態では、支持部材９０、６９０、７９０、９９０は、限定されることはないが、木材、プラスチック、金属、またはセラミックの材料など、代替の材料から各々形成されてもよい。支持部材９０、６９０、７９０は、芯材を単一の本体として各々提供してもよく、中実の本体または中空の本体であり得る。
【０２６７】
支持部材９０、６９０、７９０、９９０は、それぞれのスリーブ９０、５９０、８９０、１０９０が装着され得るシャーシ、フレーム、または本体を各々形成してもよい。
【０２６８】
スリーブ部材１９０、５９０、８９０、１０９０は、交換可能な銘柄または表示媒体を提供するために、それぞれの支持部材９０、６９０、７９０、９９０に各々装着されてもよい。
【０２６９】
本明細書で使用されるとき、「上」、「下」、「底」、「前」、「後」、「端」、「側」、「内側」、「外側」、「上方」、および「下方」は、それぞれのパネルをこのような方向付けに必ずしも限定せず、これらのパネルを互いから区別する役目を果たすに過ぎないこともあることは理解されるものである。
【０２７０】
本明細書で使用されるとき、「ヒンジ留め連結」および「折り線」の用語は、ブランクのヒンジの特徴を定めるか、互いに対するブランクの折り畳み部分を容易にするか、または、ブランクのための最適なパネル折り畳み場所を指示する線のすべての様態を言っている。「ヒンジ留め連結」への言及は、必ず単一の折り線だけに言及すると解釈されるべきではなく、実際、ヒンジ留め連結は、各々の折り線が形において真っ直ぐ／直線または湾曲／曲線のいずれかであり得る２つ以上の折り線から形成され得る。直線の折り線は、ヒンジ留め連結を形成するとき、互いと平行に配置されてもよい、または、互いに対して若干角度が付けられてもよい。曲線の折り線は、ヒンジ留め連結を形成するとき、曲線の折り線によって包囲される領域内に成形されたパネルを定めるために互いと交差してもよい。このようなヒンジ留め連結の典型的な例は、楕円形のパネルを間に定めるように２つの点で交差するアーチ状または弓状の折り線の対を備え得る。ヒンジ留め連結は、１つまたは複数の直線の折り線と、１つまたは複数の曲線の折り線とから形成されてもよい。このようなヒンジ留め連結の典型的な例は、半月形のパネルを間に定めるように２つの点で交差する直線の折り線とアーチ状または弓状の折り線との組み合わせを備え得る。
【０２７１】
本明細書で使用されるとき、「連結装置」という用語は、タップハンドルをタップ組立体へと装着する目的のためにタップ組立体の一部分を受け入れるように構成される任意のデバイスを言う。連結組立体は、ナット、または、内部またはメスのネジ山を有する開口部または孔が形成されているネジ山付き挿入体である連結部材であってもよい。任意選択で、連結組立体は、タップハンドルの受部の内側面において連結組立体を動かなくさせることができるように、連結組立体の残りの部分（例えば、連結部材）より横方向の寸法が大きい係留部を有してもよい。このような係留部材は、それぞれの連結部材の一体部品として形成されてもよく、または、連結部材と別に形成され、連結部材に取り外し可能に連結されてもよい。
【０２７２】
本明細書で使用されるとき、「折り線」という用語は、以下のもの、つまり、ミシン目入り線、エンボス線、窪み線、穿孔の線、短いスリットの線、半切りの線、単一の半切り、断続的な切れ目、並べられたスリットの線、ミシン目の線、および、上記の選択肢の任意の組み合わせのうちの１つを言うことができる。
【０２７３】
ヒンジ留め連結および折り線が、穿孔、穿孔の線、短いスリットの線、半切りの線、単一の半切り、切れ目、断続的な切れ目、スリット、ミシン目、それらの任意の組み合わせなどを含むブランクの基材に形成される要素を各々含み得ることは、理解されるべきである。要素は、所望の機能性を提供するように寸法および構成され得る。例えば、穿孔の線は、折り線および／または切断線を定めるために、弱さの度合いで寸法決定または設計され得る。穿孔の線は、折り畳みを容易にしつつ破断に抗するために、折り畳みを容易にしつつ、より大きな労力での破断を容易にするために、または、小さい労力での破断を容易にするために、設計され得る。
【０２７４】
本明細書で使用されるときの「合致している」という文言は、２つの重なり合うパネルの第１のものに形成される開口、および、２つの重なり合うパネルの第２のものに形成される第２の開口など、直立したカートンにおける２つ以上の要素の位置合わせを言う。互いと合致しているこれらの要素は、重なり合うパネルの厚さの方向において互いと位置合わせされ得る。例えば、第１のパネルにおける開口が、第１のパネルと重なり合う構成で配置されている第２のパネルにおける第２の開口と「合致している」とき、開口の縁が、第２の開口の縁の少なくとも一部分に沿って延びることができ、第１および第２のパネルの厚さの方向において、第２の開口と位置合わせされ得る。
【符号の説明】
【０２７５】
１０  第１のブランク
１１、１３、１５、１７、１９、２１、２３、２５、２７、２９、３１ａ、３１ｂ  折り線
１２  第１の外側パネル
１４  第１の内側パネル
１６  第２の内側パネル
１８  第３の内側パネル
２０  第４の内側パネル
２２  第５の内側パネル
２４  第６の内側パネル
２６  第７の内側パネル
２８  第２の外側パネル
３０ａ  第１のタブ
３０ｂ  第３のタブ
３２ａ  第２のタブ
３２ｂ  第４のタブ
９０  芯材、支持部材
１１０  ブランク
１１２  第１の側方パネル
１１３、１１５、１１７、１１９、１２１、１２３、１２５、１２７、１２９  折り線
１１４ａ  第１の端パネル
１１４ｂ  第２の端パネル
１１６  第２の側方パネル
１１８ａ  第３の端パネル
１１８ｂ  第４の端パネル
１２０  固定パネル
１２４ａ  第１の端閉鎖パネル、第１の小さい端閉鎖フラップ
１２４ｂ  第２の端閉鎖パネル、第１の小さい端閉鎖フラップ
１２６  第３の端閉鎖パネル
１２８  固定または押込みのフラップ
１３０ａ  第５の端閉鎖パネル、第２の小さい端閉鎖フラップ
１３０ｂ  第６の端閉鎖パネル、第２の小さい端閉鎖フラップ
１９０  スリーブ
２００  連結部材
３００  タップ組立体
３１０  雄ネジ部分、上方部分
３２０  タップ
３３０  タップステム
４９０  タップハンドル
５１０  第２のブランク
５１２  第１の壁パネル
５１３、５１５、５１７、５２３、５２５、５２７、５２９ａ、５２９ｂ  折り線
５１４  第２の壁パネル
５１６  第３の壁パネル
５１８  固定パネル
５２０Ａ、５２０Ｂ、５２０Ｃ  係止タブ
５２４  第１の端閉鎖パネル
５２６  第２の端閉鎖パネル
５２８ａ  第１の固定または押込みのフラップ
５２８ｂ  第２の固定または押込みのフラップ
５３０  第３の端閉鎖パネル
５９０  スリーブ
６１０  第１のブランク
６１２  第１の支柱パネル
６１３、６１５、６１７、６１９、６２１、６２３  折り線
６１４  第１のフレームパネル
６１６  第２のフレームパネル
６１８  第３のフレームパネル
６２０  第２の支柱パネル
６２２  第１の支柱補強パネル
６２４  第２の支柱補強パネル
６９０  支持部材、フレーム
７１０  第１のブランク
７１１、７１３、７１５、７１７、７１９、７２１、７２３、７２５、７２７、７２９、７３１ａ、７３１ｂ、７３３、７３５  折り線
７１２  第１の外側パネル
７１４  第１の内側パネル
７１６  第２の内側パネル
７１８  第３の内側パネル
７２０  第４の内側パネル
７２２  第５の内側パネル
７２４  第６の内側パネル
７２６  第７の内側パネル
７２８  第８の内側パネル
７３０ａ  第１のタブ
７３０ｂ  第３のタブ
７３２ａ  第２のタブ
７３２ｂ  第４のタブ
７３４  第９の内側パネル
７３６  第２の外側パネル
７４０、７４２、７４４、７４６  係合タブ
７９０  支持部材、フレーム
８００  連結装置、連結部材
８０２  連結装置、係留部、エレベーターボルト
８１０  第２のブランク
８１２  第１の側方パネル
８１３、８１５、８１７、８１９、８２３、８２５、８２７、８２９、８３１  折り線
８１４  第１の端パネル
８１６  第２の側方パネル
８１８  第２の端パネル
８２０  固定パネル
８２４  第１の上端閉鎖フラップ
８２６  第２の上端閉鎖パネル
８２８  固定または押込みのフラップ
８３０  第３の上端閉鎖フラップ
８３２  第１の下端閉鎖フラップ
８３３  折り線、ヒンジ留め連結
８３４  第２の下端閉鎖パネル
８３５、８３７  折り線
８３６  固定または押込みのフラップ
８３８  第３の下端閉鎖フラップ
８４０  アクセス開口
８９０  管状構造、スリーブ
９００  連結部材
９０２  係留部、エレベーターボルト
９０３  連結装置
９０４  係留部
９１０  第１のブランク
９１２  第１のパネル
９１３、９１５、９１７、９１９、９２１、９２３、９２５、９２７、９３３、９３５、９３７  折り線
９１４  第２のパネル
９１６  第３のパネル
９１８  第４のパネル
９２０  第５のパネル
９２２  第６のパネル
９２４  第７のパネル
９２６  第８のパネル
９２８  第９のパネル
９３４  第１０のパネル
９３６  第１１のパネル
９３８  第１２のパネル
９４０、９４２、９４４、９４６、９４８、９５０  係合タブ
９９０  支持部材、フレーム、芯材
１０１０  ブランク
１０１２  第１の側壁パネル
１０１３、１０１５、１０１７、１０１９  折り線
１０１４  第２の側壁パネル
１０１６  第３の側壁パネル
１０１８  第４の側壁パネル
１０２０  固定パネル
１０２１ａ、１０２１ｂ、１０２１ｃ  折り線
１０２２  第１の端閉鎖パネル
１０２２ａ  第１の固定または押込みのフラップ
１０２２ｂ  第２の固定または押込みのフラップ
１０２４  第２の端閉鎖パネル
１０２５ａ、１０２５ｂ、１０２５ｃ  折り線
１０２６ａ  第３の固定または押込みのフラップ
１０２６ｂ  第４の固定または押込みのフラップ
１０３０ａ  第１の部分
１０３０ｂ  第２の部分
１０３１ａ、１０３１ｂ  折り線
１０３２ａ  第１の部分
１０３２ｂ  第２の部分
１０３３ａ、１０３３ｂ  折り線
１０３４ａ  第１の部分
１０３４ｂ  第２の部分
１０３５ａ、１０３５ｂ  折り線
１０３６ａ  第１の部分
１０３６ｂ  第２の部分
１０３７ａ、１０３７ｂ  折り線
１０９０  スリーブ
１４９０  タップハンドル
Ａ１、Ａ４、Ａ５、Ａ６、Ａ７、Ａ８、Ａ９、Ａ１０  第１の開口
Ａ２  第２の切り落とし部または開口
Ａ３  第１の切り落とし部または開口
Ａ１３  開口
Ｃ１  第１の切り落とし部または凹部、切断線、切込み
Ｃ２  第２の切り落とし部または凹部、切断線、切込み
Ｃ３  第３の切り落とし部または凹部、切断線、切込み
Ｃ４  第４の切り落とし部または凹部、切断線
Ｃ５、Ｃ６、Ｃ７、Ｃ８、Ｃ９、Ｃ１０  切断線
Ｃ１１、Ｃ１２  切込み
Ｅ１、Ｅ２  端壁
Ｆ  フランジ、突出部
Ｌ  突起
Ｒ  受部
Ｒ１  第１の凹部、Ｔ字形の凹部、スロット
Ｒ２  第２の凹部、Ｔ字形の凹部、スロット
Ｒ３  第３の凹部、Ｔ字形の凹部、スロット
Ｒ４  第４の凹部、Ｔ字形の凹部
Ｒ５  第５の凹部、Ｔ字形の凹部
Ｒ６、Ｒ７、Ｒ８、Ｒ９  スロット
Ｓ１  第１の固定フラップ受入部
Ｓ２  第２の固定フラップ受入部
Ｓ３  係止タブ受入部、第３の固定フラップ受入部
Ｓ４  係止タブ受入部、第４の固定フラップ受入部
Ｓ５  係止タブ受入部
ＳＤ  ネジ駆動部
ＳＨ  シャフト
Ｔ１  第１の固定フラップ
Ｔ２  第２の固定フラップ
Ｔ３  第３の固定フラップ
Ｔ４  第４の固定フラップ
ＴＨ１  内部のネジ山
ＴＨ２  外部のネジ山
【図１】
2020522446.tif 000003
【図２】
2020522446.tif 000004
【図３】
2020522446.tif 000005
【図４】
2020522446.tif 000006
【図５】
2020522446.tif 000007
【図６】
2020522446.tif 000008
【図７】
2020522446.tif 000009
【図８】
2020522446.tif 000010
【図９】
2020522446.tif 000011
【図１０】
2020522446.tif 000012
【図１１】
2020522446.tif 000013
【図１２】
2020522446.tif 000014
【図１３】
2020522446.tif 000015
【図１４Ａ−１４Ｂ】
2020522446.tif 000016
【図１５Ａ】
2020522446.tif 000017
【図１５Ｂ】
2020522446.tif 000018
【図１６】
2020522446.tif 000019
【図１７】
2020522446.tif 000020
【図１８】
2020522446.tif 000021
【図１９】
2020522446.tif 000022
【図２０】
2020522446.tif 000023
【図２１】
2020522446.tif 000024
【図２２Ａ】
2020522446.tif 000025
【図２２Ｂ】
2020522446.tif 000026
【図２２Ｃ】
2020522446.tif 000027
【図２２Ｄ】
2020522446.tif 000028
【図２２Ｅ】
2020522446.tif 000029
【図２３】
2020522446.tif 000030
【図２４】
2020522446.tif 000031
【図２５】
2020522446.tif 000032
【図２６】
2020522446.tif 000033
【図２７】
2020522446.tif 000034
【図２８】
2020522446.tif 000035
【図２９】
2020522446.tif 000036
【国際調査報告】
2020522446.tif 000037
2020522446.tif 000038
2020522446.tif 000039